(57)【特許請求の範囲】
【請求項１】
配信装置内に備えるコンテンツのうちのどれを携帯端末がパケット網を介して受信すべきかの情報をテキストメッセージで電話回線を介して前記携帯端末に送信し、前記テキストメッセージの送信から一定時間が経過しても前記携帯端末がコンテンツを取得しない場合は、前記コンテンツを簡略化したテキストメッセージを前記電話回線を介して前記携帯端末に配信する手段を含むことを特徴とするプッシュ配信装置。
【請求項２】
携帯端末がローミングアウトしたとの情報をサーバを介して受信した場合に、表示すべきコンテンツのコンテンツＩＤおよび表示タイミングを決定するコンテンツ選択部と、
前記コンテンツＩＤおよび前記コンテンツＩＤを含むメッセージであること示す識別子を含むテキストメッセージを携帯端末に送信するＳＭＳ送信部と、
前記携帯端末からコンテンツが取得されると前記コンテンツを取得した者の電話番号およびコンテンツＩＤを含むコンテンツ取得通知を発行するＷＥＢサーバと、
設定された時刻にコンテンツ取得通知の到着確認手順を起動するタイマーとを具備し、
前記コンテンツ選択部は、前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信することを特徴とする請求項１記載のプッシュ配信装置。
【請求項３】
自端末がローミングアウトした時に、配信装置から前記配信装置内に備えるコンテンツのうちのどれをその時点で前記自端末がパケット網を介して受信すべきかの情報をテキストメッセージで電話回線を介して受信するが、前記配信装置で指定されたコンテンツを受信できない場合、前記コンテンツを簡略化したテキストメッセージを前記電話回線を介して前記配信装置から取得する手段を含むことを特徴とする携帯端末。
【請求項４】
表示すべきコンテンツを示すコンテンツＩＤおよび前記コンテンツＩＤを含むメッセージであること示す識別子を含むテキストメッセージ、もしくは簡略版コンテンツおよび簡略版コンテンツを含むメッセージであることを示す識別子を含む連結ＳＭＳを受信するＳＭＳ受信部と、
無線ＬＡＮ経由でＷＥＢサーバと通信を行う無線ＬＡＮ通信部と、
移動体パケット網経由でＷＥＢサーバと通信を行うパケット通信部と、
テキストメッセージ内に含まれるコンテンツＩＤに対応するコンテンツを前記ＷＥＢサーバから取得して表示し、また、前記連結ＳＭＳにより送付された簡略版コンテンツを表示する表示制御部とを含むことを特徴とする請求項３記載の携帯端末。
【請求項５】
配信装置内に備えるコンテンツのうちのどれを携帯端末がパケット網を介して受信すべきかの情報をテキストメッセージで電話回線を介して前記携帯端末に送信し、前記テキストメッセージの送信から一定時間が経過しても前記携帯端末がコンテンツを取得しない場合は、前記コンテンツを簡略化したテキストメッセージを前記電話回線を介して前記携帯端末に配信する処理を含むことを特徴とするプッシュ配信方法。
【請求項６】
携帯端末がローミングアウトしたとの情報をサーバを介して受信した場合に、現在の年月日、現在の曜日、現在の時刻、携帯端末が在圏する国のＭＣＣ（Ｍｏｂｉｌｅ  Ｃｏｕｎｔｒｙ  Ｃｏｄｅ）、携帯端末の加入国国番号をもとに、表示すべきコンテンツのコンテンツＩＤを決定し、
前記コンテンツＩＤおよびコンテンツＩＤを含むメッセージであることを示す識別子を本文に含むテキストメッセージを前記携帯端末に送信し、
前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信することを特徴とする請求項５記載のプッシュ配信方法。
【請求項７】
表示すべきコンテンツのコンテンツＩＤおよび表示タイミングを決定するコンテンツ選択部と、前記コンテンツＩＤを含むテキストメッセージを送信するＳＭＳ送信部と、コンテンツが取得されると前記コンテンツを取得した者の電話番号およびコンテンツＩＤを含むコンテンツ取得通知を発行するＷＥＢサーバと、設定された時刻にコンテンツ取得通知の到着確認手順を起動するタイマーとを含むプッシュ配信装置と、
表示すべきコンテンツを示すコンテンツＩＤおよび識別子を含むテキストメッセージ、もしくは簡略版コンテンツおよび識別子を含む連結ＳＭＳを受信するＳＭＳ受信部と、無線ＬＡＮ経由でＷＥＢサーバと通信を行う無線ＬＡＮ通信部と、移動体パケット網経由でＷＥＢサーバと通信を行うパケット通信部と、テキストメッセージ内に含まれるコンテンツＩＤに対応するコンテンツを前記ＷＥＢサーバから取得して表示し、また、前記連結ＳＭＳにより送付された簡略版コンテンツを表示する表示制御部とを含む携帯端末とを含んで構成され、
前記コンテンツ選択部は、前記テキストメッセージの送信から一定時間以上経過してもＷＥＢサーバよりコンテンツ取得通知が到着しない場合は、簡略版コンテンツを連結ＳＭＳにより前記携帯端末に送信することを特徴とするプッシュ配信システム。
【請求項８】
プッシュ配信装置のコンピュータに、
前記配信装置内に備えるコンテンツのうちのどれを携帯端末がパケット網を介して受信すべきかの情報をテキストメッセージで電話回線を介して前記携帯端末に送信し、前記テキストメッセージの送信から一定時間が経過しても前記携帯端末がコンテンツを取得しない場合は、前記コンテンツを簡略化したテキストメッセージを前記電話回線を介して前記携帯端末に配信する処理を実行させるためのプログラム。
【請求項９】
プッシュ配信装置のコンピュータに、
現在の年月日、現在の曜日、現在の時刻、携帯端末が在圏する国のＭＣＣ（Ｍｏｂｉｌｅ  Ｃｏｕｎｔｒｙ  Ｃｏｄｅ）、携帯端末の加入国国番号をもとに、表示すべきコンテンツのコンテンツＩＤを決定し、
前記コンテンツＩＤおよびコンテンツＩＤを含むメッセージであることを示す識別子を含むテキストメッセージを前記携帯端末に送信し、
前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信する処理を実行させるためのプログラム。
【請求項１０】
携帯端末に、
自端末がローミングアウトした時に、配信装置から前記配信装置内に備えるコンテンツのうちのどれをその時点で前記自端末がパケット網を介して受信すべきかの情報をテキストメッセージで電話回線を介して受信するが、前記配信装置で指定されたコンテンツを受信できない場合、前記コンテンツを簡略化したテキストメッセージを前記電話回線を介して前記配信装置から取得する処理を実行させるためのプログラム。
【発明の詳細な説明】
【技術分野】
【０００１】
本発明は、プッシュ配信装置、携帯端末、プッシュ配信方法およびプッシュ配信システムに関し、特にパケット網を利用できない場合において、ユーザ位置、および最新情報に基づいたコンテンツを提供するプッシュ配信装置、携帯端末、プッシュ配信方法およびプッシュ配信システムに関する。
【背景技術】
【０００２】
まず、本発明の関連技術について説明する。携帯端末が測定した位置情報をサーバに送信すると、サーバ側が表示可能な情報を選択して携帯端末に返却する技術が特許文献１に開示されている。また、携帯端末が測定した位置情報をサーバに送信すると、サーバ側が現在時刻において表示可能な情報を選択して携帯端末に通知する技術が特許文献２に開示されている。
【０００３】
また、携帯端末にあらかじめ蓄積してあるコンテンツを、携帯端末が測定した位置に応じて表示する技術が特許文献３および特許文献４に開示されている。また、端末が収容されている基地局の位置をもとに、端末のおおよその位置を推定する技術が特許文献５に開示されている。特許文献５に開示の技術によれば、端末が位置測定手段を持たない場合でも、端末のおおよその位置を推定することができる。
【０００４】
また、ショートメッセージの伝送方法に関し、ショートメッセージ内にショートメッセージの構造ないし内容に関する情報を含んだデータを送信し、これによりその全てをダウンロードすべきか、一部のみにすべきかの判断を可能とする技術が特許文献６に開示されている。
【０００５】
また、ＳＭＳ（Short Message Service）国際ローミングサービスの技術概要に関し、一部地域では、パケット交換網を用いるパケット通信（すなわちインターネット接続）を利用できず、回線交換網を用いる音声通話とＳＭＳしか利用できないことが非特許文献１に開示されている。
【先行技術文献】
【特許文献】
【０００６】
【特許文献１】特開２００９−０６０６２７号公報
【特許文献２】特開２００２−３１５０５９号公報
【特許文献３】特許第４０９２９７６号公報
【特許文献４】特許第４６１８２８４号公報
【特許文献５】特開２００４−０５６２５１号公報
【特許文献６】特開２００２−５３２７９６号公報
【非特許文献】
【０００７】
【非特許文献１】ＳＭＳ国際ローミングサーピスおよび国際ＳＭＳサービス、ＮＴＴ（登録商標）  ＤｏＣｏＭｏ（登録商標）テクニカルジャーナル、Ｖｏｌ．１３、Ｎｏ．２、２００５年７月、Ｐ．６９、［ｏｎｌｉｎｅ］、［２０１２年１月１３日検索］、インターネット＜ＵＲＬ：ｈｔｔｐ：／／ｗｗｗ．ｎｔｔｄｏｃｏｍｏ．ｃｏ．ｊｐ／ｂｉｎａｙ／ｐｄｆ／ｃｏｒｐｏｒａｔｅ／ｔｅｃｈｎｏｌｏｇｙ／ｒｄ／ｔｅｃｈｎｉｃａｌ＿ｊｏｕｒｎａｌ／ｂｎ／ｖｏｌ１３＿２／ｖｏｌ１３＿２＿０６８ｊｐ．ｐｄｆ＞
【発明の概要】
【発明が解決しようとする課題】
【０００８】
しかし、上述の特許文献１および２に記載の技術では、携帯端末からサーバへの位置情報の送信、および、サーバから携帯端末への情報配信の際に、インターネットを用いるため、海外ローミング中など、携帯端末がパケット網に接続できない地域にある場合には、上記技術を利用できない。
【０００９】
また、上述の特許文献３および４に記載の技術では、あらかじめ格納しておいた情報を表示する為、コンテンツ作成・蓄積後の、急な店舗の閉店や定休日変更などの際に、最新情報に基づいた表示ができない。
【００１０】
また、上述の特許文献５には、パケット網を利用できない地域におけるコンテンツ配信に関する技術は開示されていない。また、上述の特許文献６に記載の技術は、ショートメッセージの全部か一部かを選択するものであり、本発明のようにＷＥＢデータの全部か一部かを選択する技術とはその目的および構成が全く異なる。
【００１１】
また、上述の非特許文献１に記載の技術にもパケット網を利用できない地域におけるコンテンツ配信は開示されていない。
【００１２】
そこで、本発明の目的は、パケット網を利用できない場合において、ユーザ位置、および最新情報に基づいたコンテンツを提供することが可能なプッシュ配信装置、携帯端末、プッシュ配信方法およびプッシュ配信システムを提供することにある。
【課題を解決するための手段】
【００１３】
前記課題を解決するために、本発明によるプッシュ配信装置は、前記配信装置内に備えるコンテンツのうちのどれを携帯端末がパケット網を介して受信すべきかの情報をテキストメッセージで電話回線を介して前記携帯端末に送信し、前記テキストメッセージの送信から一定時間が経過しても前記携帯端末がコンテンツを取得しない場合は、前記コンテンツを簡略化したテキストメッセージを前記電話回線を介して前記携帯端末に配信する手段を含むことを特徴とする。
【００１４】
また、本発明による携帯端末は、自端末がローミングアウトした時に、配信装置から前記配信装置内に備えるコンテンツのうちのどれをその時点で前記自端末がパケット網を介して受信すべきかの情報をテキストメッセージで電話回線を介して受信するが、前記配信装置で指定されたコンテンツを受信できない場合、前記コンテンツを簡略化したテキストメッセージを前記電話回線を介して前記配信装置から取得する手段を含むことを特徴とする。
【００１５】
また、本発明による他の携帯端末は、配信装置内に備えるコンテンツをパケット網を介して予めコンテンツ蓄積部に蓄積しておき、前記配信装置から自端末がローミングアウトした時点で表示すべき情報をテキストメッセージで電話回線を介して受け取り、前記配信装置で指定されたコンテンツを前記コンテンツ蓄積部から取得する手段を含むことを特徴とする。
【００１６】
また、本発明によるプッシュ配信方法は、配信装置内に備えるコンテンツのうちのどれを携帯端末がパケット網を介して受信すべきかの情報をテキストメッセージで電話回線を介して前記携帯端末に送信し、前記テキストメッセージの送信から一定時間が経過しても前記携帯端末がコンテンツを取得しない場合は、前記コンテンツを簡略化したテキストメッセージを前記電話回線を介して前記携帯端末に配信する処理を含むことを特徴とする。
【００１７】
また、本発明によるプッシュ配信システムは、表示すべきコンテンツのコンテンツＩＤおよび表示タイミングを決定するコンテンツ選択部と、前記コンテンツＩＤを含むテキストメッセージを送信するＳＭＳ送信部と、コンテンツが取得されると前記コンテンツを取得した者の電話番号およびコンテンツＩＤを含むコンテンツ取得通知を発行するＷＥＢサーバと、設定された時刻にコンテンツ取得通知の到着確認手順を起動するタイマーとを含むプッシュ配信装置と、表示すべきコンテンツを示すコンテンツＩＤおよび識別子を含むテキストメッセージ、もしくは簡略版コンテンツおよび識別子を含む連結ＳＭＳを受信するＳＭＳ受信部と、無線ＬＡＮ経由でＷＥＢサーバと通信を行う無線ＬＡＮ通信部と、移動体パケット網経由でＷＥＢサーバと通信を行うパケット通信部と、テキストメッセージ内に含まれるコンテンツＩＤに対応するコンテンツを前記ＷＥＢサーバから取得して表示し、また、前記連結ＳＭＳにより送付された簡略版コンテンツを表示する表示制御部とを含む携帯端末とを含んで構成され、前記コンテンツ選択部は、前記テキストメッセージの送信から一定時間以上経過してもＷＥＢサーバよりコンテンツ取得通知が到着しない場合は、簡略版コンテンツを連結ＳＭＳにより前記携帯端末に送信することを特徴とする。
【００１８】
また、本発明によるプログラムは、プッシュ配信装置のコンピュータに、現在の年月日、現在の曜日、現在の時刻、携帯端末が在圏する国のＭＣＣ（Ｍｏｂｉｌｅ  Ｃｏｕｎｔｒｙ  Ｃｏｄｅ）、携帯端末の加入国国番号をもとに、表示すべきコンテンツのコンテンツＩＤを決定し、前記コンテンツＩＤおよびコンテンツＩＤを含むメッセージであることを示す識別子を含むテキストメッセージを前記携帯端末に送信し、前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信する処理を実行させるためのものであることを特徴とする。
【発明の効果】
【００１９】
本発明によれば、パケット網を利用できない場合において、ユーザ位置、および最新情報に基づいたコンテンツを提供することが可能となる。
【図面の簡単な説明】
【００２０】
【図１】本発明の第１の実施形態に係るプッシュ配信システムのブロック図である。
【図２】コンテンツサーバ２３内に記録され、コンテンツサーバ２３が保管しているコンテンツの一覧を示す、コンテンツ管理テーブル２３１の一例を示す図である。
【図３】コンテンツ選択部２４内に記録され、携帯端末１にコンテンツＩＤを通知した履歴を保管するコンテンツ通知履歴テーブル２４１の一例を示す図である。
【図４】コンテンツサーバ２３が保管している標準版コンテンツ２３２の一例を示す図である。
【図５】コンテンツサーバ２３が保管している簡略版コンテンツ２３３の一例を示す図である。
【図６】表示制御部１２における、ＳＭＳ受信動作１２１の一例を示す流れ図である。
【図７】図７はコンテンツ選択部２４における、ローミング通知受信動作２４２の一例を示す流れ図である。
【図８】コンテンツ選択部２４における、コンテンツ取得通知受信動作２４３の一例を示す流れ図である。
【図９】コンテンツ選択部２４における、タイマーイベント受信動作２４４の一例を示す流れ図である。
【図１０】本発明の第２の実施形態に係るプッシュ配信システムのブロック図である。
【図１１】本発明の第３の実施形態に係るプッシュ配信システムのブロック図である。
【図１２】表示制御部１２Ａにおける、ＳＭＳ受信動作１２１Ａの一例を示す流れ図である。
【図１３】コンテンツ選択部２４Ａにおける、ローミング通知受信動作２４２Ａの一例を示す流れ図である。
【図１４】本発明の第４の実施形態に係るプッシュ配信システムのブロック図である。
【図１５】コンテンツ蓄積部１６内に記録され、コンテンツ蓄積部１６が蓄積しているコンテンツの一覧を示す、蓄積コンテンツ管理テーブル１６１の一例を示す図である。
【図１６】コンテンツサーバ２３内に記録され、コンテンツサーバ２３が保管しているコンテンツの一覧を示す、コンテンツ管理テーブル２３１Ｂの一例を示す図である。
【図１７】コンテンツ選択部２４内に記録され、インターネット６経由で既にコンテンツをダウンロードして蓄積している携帯端末１の電話番号および最終ダウンロード日時を記録する、コンテンツ保有者リスト２４１Ｂの一例を示す図である。
【図１８】表示制御部１２Ｂにおける、ＳＭＳ受信動作１２１Ｂの一例を示す流れ図である。
【図１９】コンテンツ蓄積部１６における、コンテンツ蓄積動作１６３の一例を示す流れ図である。
【図２０】コンテンツ選択部２４Ｂにおける、ローミング通知受信動作２４２Ｂの一例を示す流れ図である。
【図２１】コンテンツ選択部２４Ｂにおける、コンテンツ取得通知受信動作２４３Ｂの一例を示す流れ図である。
【図２２】コンテンツ選択部２４Ｂにおける、タイマーイベント受信動作２４４Ｂの一例を示す流れ図である。
【発明を実施するための形態】
【００２１】
以下、本発明の実施の形態について添付図面を参照しながら説明する。まず、第１の実施形態について説明する。第１の実施形態は、携帯端末１がパケット網を利用できない地域に居る場合や、データローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信するものである。
【００２２】
図１は本発明の第１の実施形態に係るプッシュ配信システムのブロック図である。同図を参照して、本発明の第１の実施形態に係るプッシュ配信システムを説明する。
【００２３】
本実施形態に係るプッシュ配信システムは、携帯端末１と、配信装置２と、無線ＬＡＮアクセスポイント３と、パケット対応移動体基地局４と、パケット非対応移動体基地局５と、インターネット６と、電話回線７と、渡航先位置登録サーバ８と、加入元位置登録サーバ９を含む。
【００２４】
携帯端末１は、表示部１１、表示制御部１２、無線ＬＡＮ通信部１３、パケット通信部１４、ＳＭＳ受信部１５を備える。携帯端末１の具体例として、スマートフォン（高機能携帯電話機）やタブレット端末が挙げられる。携帯端末１は、電話回線７を通じてＳＭＳや音声通話を送受信するための電話番号を有する。
【００２５】
表示部１１は、表示制御部からの指示された内容を表示する部位である。表示制御部１２は、ＳＭＳ受信部１５よりコンテンツＩＤの通知を受け、無線ＬＡＮ通信部１３またはパケット通信部１４から標準版コンテンツ本体を受信して表示部１１に表示するか、もしくはＳＭＳ受信部１５から到着する簡略版コンテンツを表示部１１に表示するＳＭＳ受信動作１２１を行う。
【００２６】
表示制御部１２は、具体的には、スマートフォン（高機能携帯電話機）やタブレット端末にインストールするアプリケーション（アプリ）の形で提供する。無線ＬＡＮ通信部１３は、無線ＬＡＮアクセスポイント３と通信を行い、表示制御部１２がインターネット６を通じてＷＥＢサーバ２１等と通信できるようにする。もし無線ＬＡＮアクセスポイント３のサービスエリア外等の理由で通信ができない場合は、その旨を表示制御部１２に通知する。
【００２７】
パケット通信部１４は、パケット対応移動体基地局４と通信を行い、表示制御部１２がインターネット６を通じてＷＥＢサーバ２１等と通信できるようにする。もしパケット対応移動体基地局４のサービスエリア外等の理由で通信ができない場合は、その旨を表示制御部１２に通知する。
【００２８】
ＳＭＳ受信部１５は、パケット対応移動体基地局４もしくはパケット非対応移動体基地局５と通信を行い、電話回線７を通じてＳＭＳ（ショートメッセージサービス）のメッセージを受信し、表示制御部１２に通知する。受信したＳＭＳが、連結ＳＭＳである場合は、分割されたＳＭＳをつなぎあわせて連結した後で、表示制御部１２に通知する。
【００２９】
配信装置２は、ＷＥＢサーバ２１、ＳＭＳ送信部２２、コンテンツサーバ２３、コンテンツ選択部２４、時計２５、およびタイマー２６を備える。なお配信装置２は、電話回線７を通じてＳＭＳや音声通話を送受信するための電話番号を有する。なお、配信装置２は、携帯端末１の加入国に設置してもよいし、渡航先に設置しても良い。
【００３０】
ＷＥＢサーバ２１は、携帯端末１からインターネット６を通じて届くコンテンツ取得要求に応じて、要求で提示されたコンテンツＩＤに対応するコンテンツをコンテンツサーバ２３から取り出し、インターネット６を通じて携帯端末１に送信する。また、携帯端末１からインターネット６を通じてコンテンツ取得要求を受信した場合、携帯端末１の電話番号、およびコンテンツＩＤから構成されるコンテンツ取得通知をコンテンツ選択部２４に送信する。
【００３１】
ＳＭＳ送信部２２は、コンテンツ選択部２４より指示を受けた宛先電話番号の携帯端末に対して、コンテンツ選択部２４より指示を受けた内容のメッセージを、電話回線７を通じて送信する。もしコンテンツ選択部２４より指示を受けた内容のメッセージが、ＳＭＳで送信できるサイズ（７０文字〜１４０文字程度）を超える場合は、複数のＳＭＳに分割し、いわゆる「連結ＳＭＳ」方式にて送信する。
【００３２】
コンテンツサーバ２３は、内部にコンテンツ管理テーブル２３１、標準版コンテンツ２３２、簡略版コンテンツ２３３をもつ。コンテンツサーバ２３は、コンテンツ選択部２４からの要求により、保管しているコンテンツの一覧を示すコンテンツ管理テーブル２３１を参照し、条件に合致するコンテンツを返答する。また、コンテンツ選択部２４からの要求に応じて、簡略版コンテンツ２３３を取り出し、コンテンツ選択部２４に呈示する。さらに、ＷＥＢサーバ２１からの要求に応じて、標準版コンテンツ２３２を取り出し、ＷＥＢサーバ２１に呈示する。
【００３３】
コンテンツ選択部２４は、内部にコンテンツ通知履歴テーブル２４１をもち、ローミング通知受信動作２４２、コンテンツ取得通知受信動作２４３、およびタイマーイベント受信動作２４４を行う。
【００３４】
コンテンツ通知履歴テーブル２４１は、コンテンツＩＤを通知した通知先の電話番号、通知したコンテンツＩＤ、および通知日時を記録するテーブルである。ローミング通知受信動作２４２は、制御網８からローミングインもしくはローミングアウトのイベントを受信し、コンテンツサーバ２３内のコンテンツ管理テーブル２３１を参照して条件に合致するコンテンツを検索し、検索されたコンテンツのコンテンツＩＤを、制御網８から通知を受けた携帯端末１の電話番号宛に送信するよう、ＳＭＳ送信部２２に指示する。この際、通知先電話番号、コンテンツＩＤ、および通知日時を、コンテンツ選択部２４内部のコンテンツ通知履歴テーブル２４１に記録する。
【００３５】
コンテンツ取得通知受信動作２４３は、ＷＥＢサーバ２１からコンテンツ取得通知を受信した場合、コンテンツ通知履歴テーブル２４１の該当エントリを削除する。
【００３６】
タイマーイベント受信動作２４４は、タイマー２６からタイマーイベントを受信した場合に、コンテンツ通知履歴テーブル２４１を確認し、コンテンツＩＤの通知日時から一定時間以上経過している場合は、インターネット経由での標準版コンテンツの取得が不可能であると判断し、コンテンツサーバ２３より簡略版コンテンツを取得し、前記簡略版コンテンツを携帯端末１の電話番号宛に送信するようＳＭＳ送信部２２に対して指示する。
【００３７】
その後タイマー２６に対して、一定時間後にタイマーイベントが再度発生するよう設定を行う。なお、簡略版コンテンツは、ＳＭＳで送信できるサイズ（７０文字〜１４０文字程度）を超える場合があるが、複数のＳＭＳに分割し、いわゆる「連結ＳＭＳ」方式にて送信する作業は、ＳＭＳ送信部２２が行う。
【００３８】
時計２５は、コンテンツ選択部２４からの要求に応じて、現在の年月日時分秒を返却する。なお、現在の年月日時分秒は、ＮＴＰ（Ｎｅｔｗｏｒｋ  Ｔｉｍｅ  Ｐｒｏｔｏｃｏｌ）等を用いて、常に正確に保たれているものとする。
【００３９】
タイマー２６は、コンテンツ選択部２４から指定された日時に、タイマーイベントをコンテンツ選択部２４に通知する。
【００４０】
無線ＬＡＮアクセスポイント３は、携帯端末１とインターネット６を、無線ＬＡＮを通じて接続する。無線ＬＡＮアクセスポイント３は、家庭、オフィス、ホテル、カフェ、電柱などに設置され、数ｍ〜数百ｍをサービスエリアにする電波を受発信する。
【００４１】
パケット対応移動体基地局４は、パケット交換（ＰＳ：Ｐａｃｋｅｔ  Ｓｗｉｔｃｈｉｎｇ）と回線交換（ＣＳ：Ｃｉｒｃｕｉｔ  Ｓｗｉｔｃｈｉｎｇ）の双方に対応した、移動体基地局である。パケット対応移動体基地局４は、携帯端末１の契約元携帯電話事業者の提携先事業者が設置する、つまり携帯端末１の渡航先に設置されている移動体基地局である。
【００４２】
パケット対応移動体基地局４は、携帯端末１とインターネット６を、パケット交換（ＨＳＰＡ（High Speed Packet Access）、ＥＤＧＥ(Enhanced Data GSM（登録商標） Environment)、ＬＴＥ(Long Term Evolution)など）を通じて接続する。また、電話回線７と携帯端末１を、回線交換により接続する。さらに、自身のサービスエリア内に携帯端末１を検知した場合や、携帯端末１から要求があった場合に、渡航先位置登録サーバ８に位置登録を行う。前記位置登録に際しては、携帯端末１の電話番号、パケット対応移動体基地局４の基地局ＩＤなどを通知する。
【００４３】
パケット非対応移動体基地局５は、回線交換（CS：Circuit Switching）のみに対応した、移動体基地局である。パケット非対応移動体基地局５は、携帯端末１の契約元携帯電話事業者の提携先事業者が設置する、つまり携帯端末１の渡航先に設置されている移動体基地局である。パケット非対応移動体基地局５は、電話回線７と携帯端末１を、回線交換により接続する。
【００４４】
また、自身のサービスエリア内に携帯端末１を検知した場合や、携帯端末１から要求があった場合に、渡航先位置登録サーバ８に位置登録を行う。前記位置登録に際しては、携帯端末１の電話番号、パケット非対応移動体基地局５の基地局ＩＤなどを通知する。
【００４５】
インターネット６は、ＩＰアドレスで指定した宛先に、パケット単位でデータを転送できるネットワークである。ここでは、グローバルＩＰアドレスを用いた、いわゆるＴｈｅ  Ｉｎｔｅｒｎｅｔのことを指している。
【００４６】
電話回線７は、電話番号で指定した宛先に、回線交換方式で音声通話もしくはメッセージ（ＳＭＳ）送信を行うネットワークである。
【００４７】
渡航先位置登録サーバ８は、渡航先において携帯端末１の在圏情報を管理する機器である。渡航先位置登録サーバ８は、パケット対応移動体基地局４もしくはパケット非対応移動体基地局５から、共通線信号網（ＳＳ７など）を通じて、携帯端末１の在圏情報（位置登録情報）を受信し、音声着信時などに呼び出しを行う基地局を決定する。
【００４８】
また、携帯端末１の契約元携帯電話事業者が、自社以外である場合（渡航先事業者から見てローミングインにあたる場合）は、携帯端末１の加入元位置登録サーバ９に、位置登録を行う。前記位置登録に際しては、携帯端末１の電話番号、渡航先位置登録サーバ８が属するネットワークのＭＣＣ（Ｍｏｂｉｌｅ  Ｃｏｕｎｔｒｙ  Ｃｏｄｅ）およびＭＮＣ（Ｍｏｂｉｌｅ  Ｎｅｔｏｗｏｒｋ  Ｃｏｄｅ）などを、加入元位置登録サー９に通知する。※ここでＭＣＣおよびＭＮＣは、ＩＴＵ−Ｔ勧告Ｅ．２１２で定義されるものを利用する。
【００４９】
加入元位置登録サーバ９は、携帯端末１の在圏情報を管理する機器である。加入元位置登録サーバ９は、渡航先位置登録サーバ８から、共通線信号網（ＳＳ７など）を通じて、携帯端末１の在圏情報（位置登録情報）を受信し、音声着信時などに呼び出しを行う基地局を決定する。
【００５０】
また、加入元位置登録サーバ９からみてローミングアウトを検出した場合（つまり渡航先位置登録サーバ８から位置登録を受けた場合）は、コンテンツ選択部２４に対して、ローミングアウトを行った携帯端末１の電話番号、および在圏エリア（渡航先）のＭＣＣを通知する。
【００５１】
図２はコンテンツサーバ２３内に記録され、コンテンツサーバ２３が保管しているコンテンツの一覧を示す、コンテンツ管理テーブル２３１の一例を示す図である。コンテンツ管理テーブル２３１は、コンテンツＩＤ２３１１、提供期間２３１２、提供曜日２３１３、提供時間帯２３１４、渡航先ＭＣＣ２３１５、加入国国番号２３１６、標準版ファイル２３１７、簡略版ファイル２３１８より構成される。
【００５２】
コンテンツＩＤ２３１１は、コンテンツサーバ２３内に保管されているコンテンツを一意に示すＩＤである。提供期間２３１２は、当該コンテンツを、携帯端末１に配信する開始年月日および終了年月日を設定する項目である。例えば、当該コンテンツがキャンペーンに関する内容である場合、この項目を用いて、キャンペーン期間内に限定して情報配信を行う。
【００５３】
提供曜日２３１３は、当該コンテンツを、携帯端末１に配信する曜日を設定する項目である。例えば、当該コンテンツが商店や飲食店に関する内容である場合、この項目を用いて、定休日を除外して情報配信を行う。ここでは月曜日を１、火曜日を２、水曜日を３、木曜日を４、金曜日を５、土曜日を６、日曜日を７で表記する。
【００５４】
提供時間帯２３１４は、当該コンテンツを、携帯端末１に配信する開始時刻および終了時刻を設定する項目である。例えば、当該コンテンツがアフタヌーンティーに関する内容である場合、この項目を用いて、午後に限定して情報配信を行う。
【００５５】
渡航先ＭＣＣ２３１５は、情報配信先ネットワークの国コード（ＭＣＣ：Mobile Country Code）を設定する項目である。例えば、シンガポールに渡航中の加入者端末に情報配信を行う場合、シンガポールのＭＣＣである５２５を設定する。ここでＭＣＣは、ＩＴＵ−Ｔ勧告Ｅ．２１２で定められているものを利用する。
【００５６】
加入国国番号２３１６は、情報配信先端末の加入国の国際電話国番号を設定する項目である。例えば、日本契約の加入者端末に情報配信を行う場合、日本の国際電話国番号である８１を設定する。ここで国番号は、ＩＴＵ−Ｔ勧告Ｅ．１６４で定められているものを利用する。
【００５７】
標準版ファイル２３１７は、インターネット６を通じて配信するコンテンツのファイル名を指定する項目である。簡略版ファイル２３１８は、インターネット６を通じた標準版コンテンツの配信が不可能な場合に、電話回線７を通じて配信する簡略版コンテンツのファイル名を指定する項目である。
【００５８】
図３は、コンテンツ選択部２４内に記録され、携帯端末１にコンテンツＩＤを通知した履歴を保管するコンテンツ通知履歴テーブル２４１の一例を示す図である。コンテンツ通知履歴テーブル２４１は、通知先電話番号２４１１、コンテンツＩＤ２４１２、通知日時２４１３より構成される。
【００５９】
通知先電話番号２４１１は、コンテンツＩＤを通知した宛先の電話番号を記載する領域である。コンテンツＩＤ２４１２は、通知したコンテンツのＩＤを記載する領域である。通知日時２４１３は、コンテンツＩＤを通知した日時を記載する領域である。
【００６０】
図４はコンテンツサーバ２３が保管している標準版コンテンツ２３２の一例を示す図である。標準版コンテンツ２３２は、インターネット６を介して携帯端末１に送信される、容量の大きなコンテンツである。例えば、同図はコンテンツＩＤ００００１に対する標準版ファイルである００００１．ｈｔｍの例を示しており、写真や地図画像などを含むリッチな表現を行う。
【００６１】
図５はコンテンツサーバ２３が保管している簡略版コンテンツ２３３の一例を示す図である。簡略版コンテンツ２３３は、電話回線７を介して携帯端末１に送信される、容量の小さなコンテンツである。例えば、同図はコンテンツＩＤ００００１に対する簡略版ファイルである００００１．ｔｘｔの例を示しており、文字だけのシンプルな表現を行う。
【００６２】
図６は表示制御部１２における、ＳＭＳ受信動作１２１の一例を示す流れ図である。同図を参照すると、表示制御部１２は、ＳＭＳ受信部１５よりＳＭＳ受信通知を受けると、ＳＭＳ受信動作１２１が起動し、ＳＭＳ受信部１５において受信・保管されているＳＭＳの本体を取得する（ステップ１２１１）。
【００６３】
ステップ１２１１において取得したＳＭＳ本体の中に、コンテンツＩＤを示す識別子（たとえばＰＵＳＨ）が含まれている場合は（ステップ１２１２にて"ＹＥＳ"の場合）、ステップ１２１３に移る。一方、コンテンツＩＤを示す識別子（たとえばＰＵＳＨ）が含まれていない場合は（ステップ１２１２にて"ＮＯ"の場合）、ステップ１２１６に移る。
【００６４】
ステップ１２１２においてコンテンツＩＤを示す識別子を検出した場合（ステップ１２１２にて"ＹＥＳ"の場合）、無線ＬＡＮ通信部１３およびパケット通信部１４に対して、インターネット６に接続可能であるか否かを問い合わせる（ステップ１２１３）。
【００６５】
無線ＬＡＮ通信部１３とパケット通信部１４のいずれか又は両方でインターネット６に接続可能である場合（つまりＷＥＢサーバ２１と通信可能である場合）（ステップ１２１３にて"ＹＥＳ"の場合）は、ステップ１２１４に移る。
【００６６】
一方、無線ＬＡＮ通信部１３とパケット通信部１４の両方でインターネット６に接続できない場合（つまりＷＥＢサーバ２１と通信不可である場合）（ステップ１２１３にて"ＮＯ"の場合）は、ＳＭＳ受信動作１２１を終了する。
【００６７】
ステップ１２１３においてインターネット６に接続可能であると判断した場合（ステップ１２１３にて"ＹＥＳ"の場合）、ステップ１２１２で取得したコンテンツＩＤと自身の電話番号を、無線ＬＡＮ通信部１３もしくはパケット通信部１４を通じて、インターネット６経由でＷＥＢサーバ２１に送信し、インターネット６経由でコンテンツＩＤに対応する標準版コンテンツ２３２を取得する（ステップ１２１４）。そして、ステップ１２１４において取得した標準版コンテンツを、表示部１１に表示する（ステップ１２１５）。
【００６８】
ステップ１２１２において、コンテンツＩＤを示す識別子がない場合（ステップ１２１２にて"ＮＯ"の場合）、取得したＳＭＳ本体の中に、簡略版コンテンツを示す識別子（たとえばＣＯＮＴ）が含まれているか否かを調べ（ステップ１２１６）、取得したＳＭＳ本体の中に、簡略版コンテンツを示す識別子（たとえばＣＯＮＴ）が含まれている場合は（ステップ１２１６にて"ＹＥＳ"の場合）、ステップ１２１６において取得した簡略版コンテンツを表示部１１に表示する（ステップ１２１７）。
【００６９】
一方、簡略版コンテンツを示す識別子（たとえばＣＯＮＴ）が含まれていない場合は（ステップ１２１６にて"ＮＯ"の場合）、ＳＭＳ受信動作１２１を終了する。
【００７０】
図７はコンテンツ選択部２４における、ローミング通知受信動作２４２の一例を示す流れ図である。コンテンツ選択部２４は、加入元位置登録サーバ９より、ローミングアウトを行った携帯端末１の電話番号、および在圏エリア（渡航先）のＭＣＣを含むローミング通知を受け取ると、ローミング通知受信動作２４２が起動する（ステップ２４２１）。
【００７１】
コンテンツ選択部２４は、時計２５より現在の年月日時分秒を取得する（ステップ２４２２）。コンテンツ選択部２４は、ステップ２４２１で受信した携帯端末１の電話番号から判別できる加入国の国番号、ステップ２４２１で受信した渡航先のＭＣＣ、ステップ２４２２で取得した現在の日付、時間、曜日をキーに、コンテンツ管理テーブル２３１を検索し、条件に合致するコンテンツのＩＤを取得する（ステップ２４２３）。
【００７２】
ステップ２４２３において、条件に合致するコンテンツが１つ以上見つかった場合は、ステップ２４２５に進む。条件に合致するコンテンツを検索できなかった場合は、ローミング通知受信動作２４２を終了する。（ステップ２４２４）
【００７３】
ステップ２４２３において、条件に合致するコンテンツのＩＤを、コンテンツＩＤを示す識別子（たとえばＰＵＳＨ）とともに、ステップ２４２１で受信した携帯端末１の電話番号宛てに、ＳＭＳ送信部２２を用いて送信する（ステップ２４２５）。
【００７４】
コンテンツＩＤを通知した履歴を、コンテンツ通知履歴テーブル２４１に登録する。ステップ２４２１で受信した携帯端末１の電話番号を通知先電話番号２４１１に登録し、通知したコンテンツＩＤを２４１２に登録する。また、通知した年月日時分秒を、通知日時２４１３に登録する（ステップ２４２６）。
【００７５】
図８はコンテンツ選択部２４における、コンテンツ取得通知受信動作２４３の一例を示す流れ図である。コンテンツ選択部２４は、ＷＥＢサーバ２１より、標準版コンテンツを受信した端末の電話番号とコンテンツＩＤから構成されるコンテンツ取得通知を受信すると、コンテンツ取得通知受信動作２４３が起動する（ステップ２４３１）。
【００７６】
ステップ２４３１で受信した電話番号とコンテンツＩＤをキーに、コンテンツ通知履歴テーブル２４１を検索し、条件に合致するエントリを削除し、コンテンツ取得通知受信動作２４３を終了する（ステップ２４３２）。
【００７７】
図９はコンテンツ選択部２４における、タイマーイベント受信動作２４４の一例を示す流れ図である。コンテンツ選択部２４は、タイマー２６より、タイマーイベントを受信すると、タイマーイベント受信動作２４４が起動する（ステップ２４４１）。
【００７８】
コンテンツ選択部２４は、時計２５より現在の年月日時分秒を取得する（ステップ２４４２）。コンテンツ選択部２４は、ステップ２４４２で取得した現在日時をキーに、コンテンツ通知履歴テーブル２４１を検索し、通知日時から現在日時までの間が一定時間(たとえば５分）以上経過しているエントリを検索する（ステップ２４４３）。
【００７９】
ステップ２４４３において、条件に合致するエントリが１つ以上見つかった場合は、ステップ２４４５に進む。一方、条件に合致するエントリを検索できなかった場合は、ステップ２４４７に進む（ステップ２４４４）。
【００８０】
ステップ２４４４において検索されたエントリに記載されているコンテンツＩＤの簡略版コンテンツ２３３を、コンテンツサーバ２３から取得し、ステップ２４４４において検索されたエントリに記載されているステップ２４４４で受信した携帯端末１の電話番号宛てに、ＳＭＳ送信部２２を用いて送信する（ステップ２４４５）。
【００８１】
ステップ２４４３で検索されたエントリを削除する（ステップ２４４６）。一定時間後（たとえば５分後）に再度タイマーイベント受信動作２４４が起動するよう、タイマー２６を設定し、タイマーイベント受信動作２４４を終了する（ステップ２４４７）。
【００８２】
以下、図１を参照して、本システムを用いたプッシュ配信方法を具体的に説明する。
【００８３】
まず、実施例１について説明する。実施例１はデータローミング拒否中のローミングアウト端末への情報配信に関するものである。実施例１では、日本（国番号８１）で契約した０９０１２３４１２３４の電話番号を有する携帯端末１の所有者が、携帯端末１をシンガポール（ＭＣＣ５２５）に持ち込み、ローミングアウトを行った場合に、ローミングアウト端末への情報配信を行う場合を例に、説明を行う。
【００８４】
ここでは、あらかじめ、配信装置２の管理者が、コンテンツサーバ２３内に、図４および図５に示す標準版コンテンツおよび簡略版コンテンツを登録しており、さらに図２に示す期間、曜日、時間帯、渡航先ＭＣＣ、加入国国番号の配信条件を設定しているものとする。
【００８５】
また携帯端末１は、ローミング先ネットワークの設定は自動的に行うが、データローミングは行わない設定になっているとする。タイマーイベント受信動作２４４は、配信装置２の起動時に実行され、以降は定期的（たとえば約５分ごと）に実行されているものとする。
【００８６】
位置登録動作：
日本（国番号８１）で契約した０９０１２３４１２３４の電話番号を有する携帯端末１の所有者が、携帯端末１をシンガポール（ＭＣＣ５２５）に持ち込み、携帯端末の電源を入れると、ＳＭＳ受信部１５が、パケット非対応移動体基地局５もしくはパケット対応移動体基地局４を通じて、渡航先位置登録サーバ８に在圏情報の登録を行う。このとき、携帯端末が在圏するネットワークのＩＤ（ＭＣＣ／ＭＮＣ：たとえば５２５−０１）と、加入者番号（８１９０１２３４１２３４）が共通線信号網を通じて通知される。
【００８７】
渡航先位置登録サーバ８は、パケット対応移動体基地局４もしくはパケット非対応移動体基地局５から、共通線信号網（ＳＳ７など）を通じて、携帯端末１の在圏情報（位置登録情報）を受信する。今回は、携帯端末１の電話番号から判別できる携帯端末１の契約元携帯電話事業者が自社以外である（渡航先位置登録サーバ８を所管する事業者から見てローミングインにあたる）ため、携帯端末１の加入元位置登録サーバ９に、位置登録を行う。この際、携帯端末１の電話番号（８１９０１２３４１２３４）と、渡航先位置登録サーバ８が属するネットワークのＭＣＣ（５２５）およびＭＮＣ（０１）を、加入元位置登録サー９に通知する。
【００８８】
加入元位置登録サーバ９は、渡航先位置登録サーバ８から、共通線信号網（ＳＳ７など）を通じて、携帯端末１の在圏情報（位置登録情報）を受信する。加入元位置登録サーバ９は、在圏情報の登録を受け、自社の加入者がシンガポールのネットワークにローミングアウトしたことを検知する。すると、コンテンツ選択部２４に、渡航先のＭＮＣ（ここでは５２５）と加入者番号（８１９０１２３４１２３４）を、コンテンツ選択部２４に通知する。
【００８９】
コンテンツ選択部２４は、位置登録サーバ８から渡航先のＭＮＣ（ここでは５２５）と加入者番号（８１９０１２３４１２３４）の通知を受けると、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１４時５１分２３秒に、渡航先ＭＮＣ＝５２５、加入国国番号８１を条件に検索を行い、検索の結果、コンテンツＩＤ００００１を得る。
【００９０】
コンテンツ選択部２４は、コンテンツ管理テーブル２３１を検索した結果得られたコンテンツＩＤ（ここでは００００１）と、プッシュ配信用ＳＭＳであることを示す識別子（例えばＰＵＳＨ）を本文とするＳＭＳを、加入者番号８１９０１２３４１２３４宛てにＳＭＳ送信部２２を通じて送信する。また、コンテンツ通知履歴テーブル２４１に、通知先電話番号（８１９０１２３４１２３４）、コンテンツＩＤ（００００１）、および通知日時（２０１２０１０５１４５１２３）を記録する。
【００９１】
ＳＭＳ送信部２２は、コンテンツ選択部２４から指示された宛先（＋８１９０１２３４１２３４）に、本文を「ＰＵＳＨ＝００００１」とするＳＭＳを送信する。
【００９２】
ＳＭＳ送信部２２から送信されたＳＭＳは、電話回線７、パケット対応移動体基地局４もしくはパケット非対応移動体基地局５（位置登録サーバ８に登録されている携帯端末１の滞在エリアによりどちらか選択される）を通じて、ＳＭＳ受信部１５に到着する。ＳＭＳ受信部１５は、ＳＭＳを受信した旨を表示制御部１２に通知する。
【００９３】
表示制御部１２は、ＳＭＳ受信動作１２１を起動し、到着したＳＭＳの本文を受信し、本文に識別子「ＰＵＳＨ」が含まれていることから、到着したＳＭＳがコンテンツＩＤを通知するものであると判別する。またこのとき、ＳＭＳ本文から、コンテンツＩＤ「００００１」を抽出する。
【００９４】
表示制御部１２は、無線ＬＡＮ通信部１３およびパケット通信部に対して、インターネット６に接続可能であるか否かを問い合わせるが、携帯端末１は、データローミングを行わない設定になっている為、インターネット接続不可との回答を得る。このため、ＳＭＳ受信動作１２１を一旦終了する。
【００９５】
タイマーイベント起動：
携帯端末１内のＳＭＳ受信動作１２１の終了から数分後に、配信装置２内のタイマー２６においてタイマーイベントが発生し、コンテンツ選択部２４内のタイマーイベント受信動作２４４が起動する。
【００９６】
コンテンツ選択部２４は、時計２５から現在日時（ここでは２０１２年１月５日木曜日１４時５７分０２秒とする）を取得し、コンテンツ通知履歴テーブル２４１を検索して、現在日時から５分以上経過しているエントリを抽出する。この結果、通知先電話番号＝８１９０１２３４１２３４、コンテンツＩＤ＝００００１、通知日時＝２０１２０１０５１４５１２３のエントリを得る。
【００９７】
コンテンツ選択部２４は、コンテンツＩＤ＝００００１に対応するコンテンツの簡略版ファイル名をコンテンツ管理テーブル２３１を用いて検索し、コンテンツサーバ２３から簡略版ファイル（ここでは００００１．ｔｘｔ）を得る。
【００９８】
コンテンツ選択部２４は、コンテンツサーバ２３から取得した簡略版ファイル（ここでは００００１．ｔｘｔ）内に記載されている本文を、８１９０１２３４１２３４宛てに送信するよう、ＳＭＳ送信部２２に指示する。このとき、本文の先頭に、簡略版コンテンツを示す識別子（ここではＣＯＮＴ）を挿入する。
【００９９】
ＳＭＳ送信部２２は、コンテンツ選択部２４から受信した本文が、ＳＭＳで送受信できるサイズを超えているため、本文を複数のＳＭＳに分割した上で、一般的に連結ＳＭＳとよばれる方式で、電話回線７およびパケット対応移動体基地局４あるいはパケット非対応移動体基地局５を通じて複数のＳＭＳ受信部１５に送信する。
【０１００】
ＳＭＳ受信部１５は、分割送信されたＳＭＳを受信して連結し、連結完了後に、表示制御部１２に対してＳＭＳ受信通知を送る。表示制御部１２は、ＳＭＳ受信部１５からＳＭＳ受信通知をうけ、本文を取得する。本文の先頭に、簡略版コンテンツを示す識別子（ＣＯＮＴ）が含まれていることから、受信した本文を表示部１１で表示する。
【０１０１】
次に、実施例２について説明する。実施例２はデータローミング許可中のローミングアウト端末への情報配信に関するものである。実施例２では、日本（国番号８１）で契約した０９０１２３４１２３４の電話番号を有する携帯端末１の所有者が、携帯端末１をシンガポール（ＭＣＣ５２５）に持ち込み、ローミングアウトを行った場合に、ローミングアウト端末への情報配信を行う場合を例に、説明を行う。
【０１０２】
ここでは、あらかじめ、配信装置２の管理者が、コンテンツサーバ２３内に、図４および図５に示す標準版コンテンツおよび簡略版コンテンツを登録しており、さらに図２に示す期間、曜日、時間帯、渡航先ＭＣＣ、加入国国番号の配信条件を設定しているものとする。
【０１０３】
また携帯端末１は、ローミング先ネットワークの設定を自動的に行い、さらにデータローミングを行う設定になっているとする。タイマーイベント受信動作２４４は、配信装置２の起動時に実行され、以降は定期的（たとえば約５分ごと）に実行されているものとする。
【０１０４】
位置登録動作：
日本（国番号８１）で契約した０９０１２３４１２３４の電話番号を有する携帯端末１の所有者が、携帯端末１をシンガポール（国番号６５）に持ち込み、携帯端末の電源を入れると、ＳＭＳ受信部１５が、パケット非対応移動体基地局５もしくはパケット対応移動体基地局４を通じて、渡航先位置登録サーバ８に在圏情報の登録を行う。このとき、携帯端末が在圏するネットワークのＩＤ（ＭＣＣ／ＭＮＣ：たとえば５２５−０１）と、加入者番号（８１９０１２３４１２３４）が共通線信号網を通じて通知される。
【０１０５】
渡航先位置登録サーバ８は、パケット対応移動体基地局４もしくはパケット非対応移動体基地局５から、共通線信号網（ＳＳ７など）を通じて、携帯端末１の在圏情報（位置登録情報）を受信する。
【０１０６】
今回は、携帯端末１の電話番号から判別できる携帯端末１の契約元携帯電話事業者が自社以外である（渡航先位置登録サーバ８を所管する事業者から見てローミングインにあたる）ため、携帯端末１の加入元位置登録サーバ９に、位置登録を行う。この際、携帯端末１の電話番号（８１９０１２３４１２３４）と、渡航先位置登録サーバ８が属するネットワークのＭＣＣ（５２５）およびＭＮＣ（０１）を、加入元位置登録サー９に通知する。
【０１０７】
加入元位置登録サーバ９は、渡航先位置登録サーバ８から、共通線信号網（ＳＳ７など）を通じて、携帯端末１の在圏情報（位置登録情報）を受信する。加入元位置登録サーバ９は、在圏情報の登録を受け、自社の加入者がシンガポールのネットワークにローミングアウトしたことを検知する。すると、コンテンツ選択部２４に、渡航先のＭＮＣ（ここでは５２５）と加入者番号（８１９０１２３４１２３４）を、コンテンツ選択部２４に通知する。
【０１０８】
コンテンツ選択部２４は、位置登録サーバ８から渡航先のＭＮＣ（ここでは５２５）と加入者番号（８１９０１２３４１２３４）の通知を受けると、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１４時５１分２３秒に、渡航先ＭＮＣ＝５２５、加入国国番号８１を条件に検索を行い、検索の結果、コンテンツＩＤ００００１を得る。
【０１０９】
コンテンツ選択部２４は、コンテンツ管理テーブル２３１を検索した結果得られたコンテンツＩＤ（ここでは００００１）と、プッシュ配信用ＳＭＳであることを示す識別子（例えばＰＵＳＨ）を本文とするＳＭＳを、加入者番号８１９０１２３４１２３４宛てにＳＭＳ送信部２２を通じて送信する。また、コンテンツ通知履歴テーブル２４１に、通知先電話番号（８１９０１２３４１２３４）、コンテンツＩＤ（００００１）、および通知日時（２０１２０１０１５１４５１２３）を記録する。
【０１１０】
ＳＭＳ送信部２２は、コンテンツ選択部２４から指示された宛先（＋８１９０１２３４１２３４）に、本文を「ＰＵＳＨ＝００００１」とするＳＭＳを送信する。
【０１１１】
ＳＭＳ送信部２２から送信されたＳＭＳは、電話回線７、パケット対応移動体基地局４もしくはパケット非対応移動体基地局５（位置登録サーバ８に登録されている携帯端末１の滞在エリアによりどちらか選択される）を通じて、ＳＭＳ受信部１５に到着する。ＳＭＳ受信部１５は、ＳＭＳを受信した旨を表示制御部１２に通知する。
【０１１２】
表示制御部１２は、ＳＭＳ受信動作１２１を起動し、到着したＳＭＳの本文を受信し、本文に識別子「ＰＵＳＨ」が含まれていることから、到着したＳＭＳがコンテンツＩＤを通知するものであると判別する。またこのとき、ＳＭＳ本文から、コンテンツＩＤ「００００１」を抽出する。
【０１１３】
表示制御部１２は、無線ＬＡＮ通信部１３およびパケット通信部１４に対して、インターネット６に接続可能であるか否かを問い合わせるが、携帯端末１は、データローミングを行う設定になっている為、インターネット接続可能との回答を得る。このため、無線ＬＡＮ通信部１３および無線ＬＡＮアクセスポイント３、またはパケット通信部１４およびパケット対応移動体基地局４を通じ、ＷＥＢサーバ２１に対して自端末の電話番号（８１９０１２３４１２３４）とコンテンツＩＤ（００００１）を提示し、標準版コンテンツを要求する。
【０１１４】
ＷＥＢサーバ２１は、要求されたコンテンツＩＤ＝００００１に対応するコンテンツの標準版ファイル名をコンテンツ管理テーブル２３１を用いて検索し、コンテンツサーバ２３から標準版ファイル（ここでは００００１．ｈｔｍ）を得る。
【０１１５】
ＷＥＢサーバ２１は、コンテンツサーバ２３から取得した標準版ファイル（ここでは００００１．ｈｔｍ）を、インターネット６を通じて、表示制御部に送信する。さらに、コンテンツ選択部２４に対して、電話番号（８１９０１２３４１２３４）およびコンテンツＩＤ（００００１）からなるコンテンツ取得通知を送信する。
【０１１６】
コンテンツ選択部２４は、ＷＥＢサーバ２１からコンテンツ取得通知を受信し、電話番号（８１９０１２３４１２３４）およびコンテンツＩＤ（００００１）に対応するエントリを検索して削除する。この動作により、簡略版コンテンツが分割ＳＭＳにより送信されることがなくなる。表示制御部１２は、ＷＥＢサーバ２１から標準版ファイル（ここでは００００１．ｈｔｍ）を受信すると、受信した本文を表示部１１で表示する。
【０１１７】
以上の説明では、コンテンツＩＤを含んだＳＭＳであること、および、簡略版コンテンツ本体を含むＳＭＳであることを、識別子（たとえばＰＵＳＨやＣＯＮＴ）を用いて表現したが、配信装置２内のＳＭＳ送信部２２に、コンテンツＩＤ送信用と簡略版コンテンツ送信用の２つの電話番号を持たせ、ＳＭＳ受信部１５が、発信者番号通知機能で通知される発信電話番号をもとに、送信されてきたＳＭＳの種類を判別してもよい。
【０１１８】
また、以上の説明では、渡航先をＭＣＣを用いて判別しているが、ＭＣＣとＭＮＣを組み合わせて判別してもよい。また、ＭＣＣの代わりに、国番号を用いてもよい。
【０１１９】
さらに、パケット対応移動体基地局４やパケット非対応移動体基地局５に、あらかじめパケット対応移動体基地局４やパケット非対応移動体基地局５が設置されている場所の緯度経度を登録しておき、位置登録時に緯度経度情報も一緒にコンテンツ選択部２４に通知し、コンテンツ選択部２４が、加入元位置登録サーバ９から通知される緯度経度を元に渡航先を判別してもよい。
【０１２０】
以上の説明では、ローミングアウト時に、ローミング先のエリア内に居る携帯端末１に対して情報配信する例を示したが、位置登録時に緯度経度情報も一緒にコンテンツ選択部２４に通知する場合は、ローミングではない場合（自社エリア内に居る端末に対して）に、情報のプッシュ配信を行うこともできる。
【０１２１】
本実施形態によれば、携帯端末１がパケット網を利用できない地域に居る場合や、データローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信することができる。
【０１２２】
次に、本発明の第２の実施形態について説明する。第２の実施形態は、携帯端末１がパケット網を利用できない地域に在圏している場合や、データローミングの利用を設定により拒否している場合に、携帯端末１の渡航先（ローミング先）の携帯電話事業者もしくはその提携するサービス事業者が、携帯端末１の渡航先ネットワークのエリア内に居る携帯端末（すなわちローミングイン中の携帯端末）に、情報をプッシュ配信するものである。
【０１２３】
図１０は本発明の第２の実施形態に係るプッシュ配信システムのブロック図である。同図を参照して、本発明の第２の実施形態に係るプッシュ配信システムを説明する。
【０１２４】
渡航先位置登録サーバ８Ａは、携帯端末１の渡航先において在圏情報を管理する機器である。渡航先位置登録サーバ８Ａは、パケット対応移動体基地局４もしくはパケット非対応移動体基地局５から、共通線信号網（ＳＳ７など）を通じて、携帯端末１の在圏情報（位置登録情報）を受信し、音声着信時などに呼び出しを行う基地局を決定する。
【０１２５】
また、携帯端末１の契約元携帯電話事業者が、自社以外である場合（渡航先事業者から見てローミングインにあたる場合）は、携帯端末１の加入元位置登録サーバ９に位置登録を行うと共に、コンテンツ選択部２４に対して、ローミングアウトを行った携帯端末１の電話番号、および在圏エリア（渡航先）のＭＣＣ（Ｍｏｂｉｌｅ  Ｃｏｕｎｔｒｙ  Ｃｏｄｅ）を通知する。
【０１２６】
加入元位置登録サーバ９Ａは、携帯端末１の在圏情報を管理する機器である。加入元位置登録サーバ９は、渡航先位置登録サーバ８から、共通線信号網（ＳＳ７など）を通じて、携帯端末１の在圏情報（位置登録情報）を受信し、音声着信時などに呼び出しを行う基地局を決定する。
【０１２７】
以下、図１０を参照して、本システムを用いたプッシュ配信方法を具体的に説明する。
【０１２８】
まず、実施例１について説明する。実施例１はデータローミング拒否中のローミングイン端末への情報配信に関するものである。実施例１では、台湾（国番号８８６）で契約した０９１２１２３１２３の電話番号を有する携帯端末１の所有者が、携帯端末１を日本（ＭＣＣ４４０）に持ち込み、携帯端末１の渡航先ネットワークの事業者からみてローミングインにあたる場合に、ローミングイン端末への情報配信を行う場合を例に、説明を行う。
【０１２９】
ここでは、あらかじめ、配信装置２の管理者が、コンテンツサーバ２３内に、図４および図５に示す標準版コンテンツおよび簡略版コンテンツを登録しており、さらに図２に示す期間、曜日、時間帯、渡航先ＭＣＣ、加入国国番号の配信条件を設定しているものとする。
【０１３０】
また携帯端末１は、ローミング先ネットワークの設定は自動的に行うが、データローミングは行わない設定になっているとする。タイマーイベント受信動作２４４は、配信装置２の起動時に実行され、以降は定期的（たとえば約５分ごと）に実行されているものとする。
【０１３１】
位置登録動作：
台湾（国番号８８６）で契約した０９１２１２３１２３の電話番号を有する携帯端末１の所有者が、携帯端末１を日本（ＭＣＣ４４０）に持ち込み、携帯端末の電源を入れると、ＳＭＳ受信部１５が、パケット非対応移動体基地局５もしくはパケット対応移動体基地局４を通じて、渡航先位置登録サーバ８Ａに在圏情報の登録を行う。このとき、携帯端末が在圏するネットワークのＩＤ（ＭＣＣ／ＭＮＣ：たとえば４４０−１０）と、加入者番号（８８６９１２１２３１２３）が共通線信号網を通じて通知される。
【０１３２】
渡航先位置登録サーバ８Ａは、パケット対応移動体基地局４もしくはパケット非対応移動体基地局５から、共通線信号網（ＳＳ７など）を通じて、携帯端末１の在圏情報（位置登録情報）を受信する。今回は、携帯端末１の電話番号から判別できる携帯端末１の契約元携帯電話事業者が自社以外である（渡航先位置登録サーバ８Ａを所管する事業者から見てローミングインにあたる）ため、携帯端末１の加入元位置登録サーバ９Ａに、位置登録を行う。
【０１３３】
この際、携帯端末１の電話番号（８８６９１２１２３１２３）と、渡航先位置登録サーバ８が属するネットワークのＭＣＣ（４４０）およびＭＮＣ（１０）を、加入元位置登録サー９Ａに通知する。さらに渡航先位置登録サーバ８Ａは、コンテンツ選択部２４に、渡航先のＭＮＣ（ここでは４４０）と加入者番号（８８６９１２１２３１２３）を、コンテンツ選択部２４に通知する。
【０１３４】
コンテンツ選択部２４は、位置登録サーバ８Ａから渡航先のＭＮＣ（ここでは４４０）と加入者番号（８８６９１２１２３１２３）の通知を受けると、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１５時０３分３７秒に、渡航先ＭＮＣ＝４４０、加入国国番号８８６を条件に検索を行い、検索の結果、コンテンツＩＤ００００３を得る。
【０１３５】
コンテンツ選択部２４は、コンテンツ管理テーブル２３１を検索した結果得られたコンテンツＩＤ（ここでは００００３）と、プッシュ配信用ＳＭＳであることを示す識別子（例えばＰＵＳＨ）を本文とするＳＭＳを、加入者番号８８６９１２１２３１２３宛てにＳＭＳ送信部２２を通じて送信する。また、コンテンツ通知履歴テーブル２４１に、通知先電話番号（８８６９１２１２３１２３）、コンテンツＩＤ（００００３）、および通知日時（２０１２０１０５１５０３３７）を記録する。
【０１３６】
ＳＭＳ送信部２２は、コンテンツ選択部２４から指示された宛先（＋８８６９１２１２３１２３）に、本文を「ＰＵＳＨ＝００００３」とするＳＭＳを送信する。
【０１３７】
ＳＭＳ送信部２２から送信されたＳＭＳは、電話回線７、パケット対応移動体基地局４もしくはパケット非対応移動体基地局５（位置登録サーバ８に登録されている携帯端末１の滞在エリアによりどちらか選択される）を通じて、ＳＭＳ受信部１５に到着する。ＳＭＳ受信部１５は、ＳＭＳを受信した旨を表示制御部１２に通知する。
【０１３８】
表示制御部１２は、ＳＭＳ受信動作１２１を起動し、到着したＳＭＳの本文を受信し、本文に識別子「ＰＵＳＨ」が含まれていることから、到着したＳＭＳがコンテンツＩＤを通知するものであると判別する。またこのとき、ＳＭＳ本文から、コンテンツＩＤ「００００３」を抽出する。
【０１３９】
表示制御部１２は、無線ＬＡＮ通信部１３およびパケット通信部に対して、インターネット６に接続可能であるか否かを問い合わせるが、携帯端末１は、データローミングを行わない設定になっている為、インターネット接続不可との回答を得る。このため、ＳＭＳ受信動作１２１を一旦終了する。
【０１４０】
タイマーイベント起動：
携帯端末１内のＳＭＳ受信動作１２１の終了から数分後に、配信装置２内のタイマー２６においてタイマーイベントが発生し、コンテンツ選択部２４内のタイマーイベント受信動作２４４が起動する。
【０１４１】
コンテンツ選択部２４は、時計２５から現在日時（ここでは２０１２年１月５日木曜日１５時１０分０２秒とする）を取得し、コンテンツ通知履歴テーブル２４１を検索して、現在日時から５分以上経過しているエントリを抽出する。この結果、通知先電話番号＝８８６９１２１２３１２３、コンテンツＩＤ＝００００３、通知日時＝２０１２０１０５１５０３３７のエントリを得る。
【０１４２】
コンテンツ選択部２４は、コンテンツＩＤ＝００００３に対応するコンテンツの簡略版ファイル名をコンテンツ管理テーブル２３１を用いて検索し、コンテンツサーバ２３から簡略版ファイル（ここでは００００３．ｔｘｔ）を得る。
【０１４３】
コンテンツ選択部２４は、コンテンツサーバ２３から取得した簡略版ファイル（ここでは００００３．ｔｘｔ）内に記載されている本文を、８８６９１２１２３１２３宛てに送信するよう、ＳＭＳ送信部２２に指示する。このとき、本文の先頭に、簡略版コンテンツを示す識別子（ここではＣＯＮＴ）を挿入する。
【０１４４】
ＳＭＳ送信部２２は、コンテンツ選択部２４から受信した本文が、ＳＭＳで送受信できるサイズを超えているため、本文を複数のＳＭＳに分割した上で、一般的に連結ＳＭＳとよばれる方式で、電話回線７およびパケット対応移動体基地局４あるいはパケット非対応移動体基地局５を通じて複数のＳＭＳ受信部１５に送信する。
【０１４５】
ＳＭＳ受信部１５は、分割送信されたＳＭＳを受信して連結し、連結完了後に、表示制御部１２に対してＳＭＳ受信通知を送る。表示制御部１２は、ＳＭＳ受信部１５からＳＭＳ受信通知をうけ、本文を取得する。本文の先頭に、簡略版コンテンツを示す識別子（ＣＯＮＴ）が含まれていることから、受信した本文を表示部１１で表示する。
【０１４６】
次に、実施例２について説明する。実施例２はデータローミング許可中のローミングイン端末への情報配信に関するものである。実施例２では、台湾（国番号８８６）で契約した０９９１２１２３１２３の電話番号を有する携帯端末１の所有者が、携帯端末１を日本（ＭＣＣ４４０）に持ち込み、ローミングインを行った場合に、ローミングイン端末への情報配信を行う場合を例に、説明を行う。
【０１４７】
ここでは、あらかじめ、配信装置２の管理者が、コンテンツサーバ２３内に、図４および図５に示す標準版コンテンツおよび簡略版コンテンツを登録しており、さらに図２に示す期間、曜日、時間帯、渡航先ＭＣＣ、加入国国番号の配信条件を設定しているものとする。
【０１４８】
また携帯端末１は、ローミング先ネットワークの設定を自動的に行い、さらにデータローミングを行う設定になっているとする。タイマーイベント受信動作２４４は、配信装置２の起動時に実行され、以降は定期的（たとえば約５分ごと）に実行されているものとする。
【０１４９】
位置登録動作：
台湾（国番号８８６）で契約した０９１２１２３１２３の電話番号を有する携帯端末１の所有者が、携帯端末１を日本（ＭＣＣ４４０）に持ち込み、携帯端末の電源を入れると、ＳＭＳ受信部１５が、パケット非対応移動体基地局５もしくはパケット対応移動体基地局４を通じて、渡航先位置登録サーバ８Ａに在圏情報の登録を行う。このとき、携帯端末が在圏するネットワークのＩＤ（ＭＣＣ／ＭＮＣ：たとえば４４０−１０）と、加入者番号（８８６９１２１２３１２３）が共通線信号網を通じて通知される。
【０１５０】
渡航先位置登録サーバ８Ａは、パケット対応移動体基地局４もしくはパケット非対応移動体基地局５から、共通線信号網（ＳＳ７など）を通じて、携帯端末１の在圏情報（位置登録情報）を受信する。今回は、携帯端末１の電話番号から判別できる携帯端末１の契約元携帯電話事業者が自社以外である（渡航先位置登録サーバ８Ａを所管する事業者から見てローミングインにあたる）ため、携帯端末１の加入元位置登録サーバ９Ａに、位置登録を行う。この際、携帯端末１の電話番号（８８６９１２１２３１２３）と、渡航先位置登録サーバ８が属するネットワークのＭＣＣ（４４０）およびＭＮＣ（１０）を、加入元位置登録サー９Ａに通知する。さらに渡航先位置登録サーバ８Ａは、コンテンツ選択部２４に、渡航先のＭＮＣ（ここでは４４０）と加入者番号（８８６９１２１２３１２３）を、コンテンツ選択部２４に通知する。
【０１５１】
コンテンツ選択部２４は、位置登録サーバ８Ａから渡航先のＭＮＣ（ここでは４４０）と加入者番号（８８６９１２１２３１２３）の通知を受けると、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１５時０３分３７秒に、渡航先ＭＮＣ＝４４０、加入国国番号８８６を条件に検索を行い、検索の結果、コンテンツＩＤ００００３を得る。
【０１５２】
コンテンツ選択部２４は、コンテンツ管理テーブル２３１を検索した結果得られたコンテンツＩＤ（ここでは００００３）と、プッシュ配信用ＳＭＳであることを示す識別子（例えばＰＵＳＨ）を本文とするＳＭＳを、加入者番号８８６９１２１２３１２３宛てにＳＭＳ送信部２２を通じて送信する。また、コンテンツ通知履歴テーブル２４１に、通知先電話番号（８８６９１２１２３１２３）、コンテンツＩＤ（００００３）、および通知日時（２０１２０１０５１５０３３７）を記録する。
【０１５３】
ＳＭＳ送信部２２は、コンテンツ選択部２４から指示された宛先（＋８８６９１２１２３１２３）に、本文を「ＰＵＳＨ＝００００３」とするＳＭＳを送信する。
【０１５４】
ＳＭＳ送信部２２から送信されたＳＭＳは、電話回線７、パケット対応移動体基地局４もしくはパケット非対応移動体基地局５（位置登録サーバ８に登録されている携帯端末１の滞在エリアによりどちらか選択される）を通じて、ＳＭＳ受信部１５に到着する。ＳＭＳ受信部１５は、ＳＭＳを受信した旨を表示制御部１２に通知する。
【０１５５】
表示制御部１２は、ＳＭＳ受信動作１２１を起動し、到着したＳＭＳの本文を受信し、本文に識別子「ＰＵＳＨ」が含まれていることから、到着したＳＭＳがコンテンツＩＤを通知するものであると判別する。またこのとき、ＳＭＳ本文から、コンテンツＩＤ「００００３」を抽出する。
【０１５６】
表示制御部１２は、無線ＬＡＮ通信部１３およびパケット通信部１４に対して、インターネット６に接続可能であるか否かを問い合わせるが、携帯端末１は、データローミングを行う設定になっている為、インターネット接続可能との回答を得る。このため、無線ＬＡＮ通信部１３および無線ＬＡＮアクセスポイント３、またはパケット通信部１４およびパケット対応移動体基地局４を通じ、ＷＥＢサーバ２１に対して自端末の電話番号（８８６９１２１２３１２３）とコンテンツＩＤ（００００３）を提示し、標準版コンテンツを要求する。
【０１５７】
ＷＥＢサーバ２１は、要求されたコンテンツＩＤ＝００００３に対応するコンテンツの標準版ファイル名をコンテンツ管理テーブル２３１を用いて検索し、コンテンツサーバ２３から標準版ファイル（ここでは００００３．ｈｔｍ）を得る。
【０１５８】
ＷＥＢサーバ２１は、コンテンツサーバ２３から取得した標準版ファイル（ここでは００００３．ｈｔｍ）を、インターネット６を通じて、表示制御部に送信する。さらに、コンテンツ選択部２４に対して、電話番号（８８６９１２１２３１２３）およびコンテンツＩＤ（００００３）からなるコンテンツ取得通知を送信する。
【０１５９】
コンテンツ選択部２４は、ＷＥＢサーバ２１からコンテンツ取得通知を受信し、電話番号（８８６９１２１２３１２３）およびコンテンツＩＤ（００００３）に対応するエントリを検索して削除する。この動作により、簡略版コンテンツが分割ＳＭＳにより送信されることがなくなる。表示制御部１２は、ＷＥＢサーバ２１から標準版ファイル（ここでは００００３．ｈｔｍ）を受信すると、受信した本文を表示部１１で表示する。
【０１６０】
以上の説明では、コンテンツＩＤを含んだＳＭＳであること、および、簡略版コンテンツ本体を含むＳＭＳであることを、識別子（たとえばＰＵＳＨやＣＯＮＴ）を用いて表現したが、配信装置２内のＳＭＳ送信部２２に、コンテンツＩＤ送信用と簡略版コンテンツ送信用の２つの電話番号を持たせ、ＳＭＳ受信部１５が、発信者番号通知機能で通知される発信電話番号をもとに、送信されてきたＳＭＳの種類を判別してもよい。
【０１６１】
また、以上の説明では、渡航先をＭＣＣを用いて判別しているが、ＭＣＣとＭＮＣを組み合わせて判別してもよい。また、ＭＣＣの代わりに、国番号を用いてもよい。
【０１６２】
さらに、パケット対応移動体基地局４やパケット非対応移動体基地局５に、あらかじめパケット対応移動体基地局４やパケット非対応移動体基地局５が設置されている場所の緯度経度を登録しておき、位置登録時に緯度経度情報も一緒にコンテンツ選択部２４に通知し、コンテンツ選択部２４が、加入元位置登録サーバ９から通知される緯度経度を元に渡航先を判別してもよい。
【０１６３】
以上の説明では、自社エリア内にローミングインした携帯端末１に対して情報配信する例を示したが、位置登録時に緯度経度情報も一緒にコンテンツ選択部２４に通知する場合は、ローミングではない場合（自社エリア内に居る自社契約端末に対して）に、情報のプッシュ配信を行うこともできる。
【０１６４】
本実施形態によれば、携帯端末１がパケット網を利用できない地域に居る場合や、データローミングの利用を設定により拒否している場合に、携帯端末１の渡航先の携帯電話事業者もしくはその提携するサービス事業者が、自社ネットワークのエリア内に居る携帯端末（すなわちローミングイン中の携帯端末）に、情報をプッシュ配信することができる。
【０１６５】
次に、本発明の第３の実施形態について説明する。第３の実施形態は、携帯端末１がパケット網を利用できない地域に居る場合や、データローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信するものである。
【０１６６】
第３の実施形態は、第１の実施形態に対して、コンテンツ選択部２４がローミングアウトを検出した際に、コンテンツＩＤを送信して一定時間経過後に簡略版コンテンツを送付する代わりに、コンテンツＩＤを送信することなくただちに簡略版コンテンツを送付する点において異なる。
【０１６７】
図１１は本発明の第３の実施形態に係るプッシュ配信システムのブロック図である。同図を参照して、本発明の第３の実施形態に係るプッシュ配信システムを説明する。本実施形態に係るプッシュ配信システムは、本発明の第１の実施形態に係るプッシュ配信システムに対して、表示制御部１２の代わりに表示制御部１２Ａを設置し、ＷＥＢサーバ２１の代わりにＷＥＢサーバ２１Ａを設置し、コンテンツ選択部２４の代わりにコンテンツ選択部２４Ａを設置し、タイマー２６を廃止する点において異なる。
【０１６８】
表示制御部１２Ａは、ＳＭＳ受信部１５よりコンテンツＩＤの通知を受け、無線ＬＡＮ通信部１３またはパケット通信部１４から標準版コンテンツ本体を受信して表示部１１に表示するか、もしくはＳＭＳ受信部１５から到着する簡略版コンテンツを表示部１１に表示するＳＭＳ受信動作１２１Ａを行う。表示制御部１２は、具体的には、スマートフォン（高機能携帯電話機）やタブレット端末にインストールするアプリケーション（アプリ）の形で提供する。
【０１６９】
ＷＥＢサーバ２１Ａは、携帯端末１からインターネット６を通じて届くコンテンツ取得要求に応じて、要求で提示されたコンテンツＩＤに対応するコンテンツをコンテンツサーバ２３から取り出し、インターネット６を通じて携帯端末１に送信する。
【０１７０】
コンテンツ選択部２４Ａは、第１の実施形態におけるコンテンツ選択部２４に対して、ローミング通知受信動作２４２の代わりにローミング通知受信動作２４２Ａを行い、内部にコンテンツ通知履歴テーブル２４１を持たず、コンテンツ取得通知受信動作２４３およびタイマーイベント受信動作２４４行わない点において異なる。
【０１７１】
ローミング通知受信動作２４２Ａは、制御網８からローミングインもしくはローミングアウトのイベントを受信し、コンテンツサーバ２３内のコンテンツ管理テーブル２３１を参照して条件に合致するコンテンツを検索し、検索されたコンテンツのコンテンツＩＤに対応する簡略版コンテンツをコンテンツサーバ２３より取得し、前記簡略版コンテンツを制御網８から通知を受けた携帯端末１の電話番号宛に送信するようＳＭＳ送信部２２に対して指示する。なお、簡略版コンテンツは、ＳＭＳで送信できるサイズ（７０文字〜１４０文字程度）を超える場合があるが、複数のＳＭＳに分割し、いわゆる「連結ＳＭＳ」方式にて送信する作業は、ＳＭＳ送信部２２が行う。
【０１７２】
図１２は、表示制御部１２Ａにおける、ＳＭＳ受信動作１２１Ａの一例を示す流れ図である。表示制御部１２Ａは、ＳＭＳ受信部１５よりＳＭＳ受信通知を受けると、ＳＭＳ受信動作１２１が起動し、ＳＭＳ受信部１５において受信・保管されているＳＭＳの本体を取得する（ステップ１２１１Ａ）。
【０１７３】
ステップ１２１１Ａにおいて取得したＳＭＳ本体の中に、簡略版コンテンツを示す識別子（たとえばＣＯＮＴ）が含まれている場合は、ステップ１２１３Ａに移る。簡略版コンテンツを示す識別子（たとえばＣＯＮＴ）が含まれていない場合は、ＳＭＳ受信動作１２１Ａを終了する（ステップ１２１２Ａ）。
【０１７４】
ステップ１２１２Ａにおいて簡略版コンテンツを示す識別子を検出した場合、無線ＬＡＮ通信部１３およびパケット通信部１４に対して、インターネット６に接続可能であるか否かを問い合わせる。無線ＬＡＮ通信部１３とパケット通信部１４のいずれか又は両方でインターネット６に接続可能である場合（つまりＷＥＢサーバ２１と通信可能である場合）は、ステップ１２１４Ａに移る。無線ＬＡＮ通信部１３とパケット通信部１４の両方でインターネット６に接続できない場合（つまりＷＥＢサーバ２１と通信不可である場合）は、ステップ１２１６Ａに移る（ステップ１２１３Ａ）。
【０１７５】
ステップ１２１３Ａにおいてインターネット６に接続可能であると判断した場合、ステップ１２１２で取得したコンテンツＩＤと自身の電話番号を、無線ＬＡＮ通信部１３もしくはパケット通信部１４を通じて、インターネット６経由でＷＥＢサーバ２１に送信し、インターネット６経由でコンテンツＩＤに対応する標準版コンテンツ２３２を取得する（ステップ１２１４Ａ）。
【０１７６】
ステップ１２１４Ａにおいて取得した標準版コンテンツを、表示部１１に表示する（ステップ１２１５Ａ）。ステップ１２１３Ａにおいてインターネット６に接続不可であると判断した場合、ステップ１２１２Ａにおいて取得した簡略版コンテンツを、表示部１１に表示する（ステップ１２１６Ａ）。
【０１７７】
図１３は、コンテンツ選択部２４Ａにおける、ローミング通知受信動作２４２Ａの一例を示す流れ図である。コンテンツ選択部２４Ａは、加入元位置登録サーバ９より、ローミングアウトを行った携帯端末１の電話番号、および在圏エリア（渡航先）のＭＣＣを含むローミング通知を受け取ると、ローイング通知受信動作２４２Ａが起動する（ステップ２４２１Ａ）。
【０１７８】
コンテンツ選択部２４Ａは、時計２５より現在の年月日時分秒を取得する（ステップ２４２２Ａ）。コンテンツ選択部２４Ａは、ステップ２４２１Ａで受信した携帯端末１の電話番号から判別できる加入国の国番号、ステップ２４２１Ａで受信した渡航先のＭＣＣ、ステップ２４２２Ａで取得した現在の日付、時間、曜日をキーに、コンテンツ管理テーブル２３１を検索し、条件に合致するコンテンツのＩＤを取得する（ステップ２４２３Ａ）。
【０１７９】
ステップ２４２３Ａにおいて、条件に合致するコンテンツが１つ以上見つかった場合は、ステップ２４２５Ａに進む。条件に合致するコンテンツを検索できなかった場合は、ローミング通知受信動作２４２Ａを終了する（ステップ２４２４Ａ）。
【０１８０】
ステップ２４２３Ａにおいて、条件に合致するコンテンツの簡略版コンテンツを、コンテンツサーバ２３より取得し、前記簡略版コンテンツを制御網８から通知を受けた携帯端末１の電話番号宛に、ＳＭＳ送信部２２を用いて送信する（ステップ２４２５Ａ）。
【０１８１】
以下、図１１を参照して、本システムを用いたプッシュ配信方法の一例を具体的に説明する。
【０１８２】
まず、実施例１について説明する。実施例１はデータローミング拒否中のローミングアウト端末への情報配信に関するものである。実施例１では、日本（国番号８１）で契約した０９０１２３４１２３４の電話番号を有する携帯端末１の所有者が、携帯端末１をシンガポール（ＭＣＣ５２５）に持ち込み、ローミングアウトを行った場合に、ローミングアウト端末への情報配信を行う場合を例に、説明を行う。
【０１８３】
ここでは、あらかじめ、配信装置２の管理者が、コンテンツサーバ２３内に、図４および図５に示す標準版コンテンツおよび簡略版コンテンツを登録しており、さらに図２に示す期間、曜日、時間帯、渡航先ＭＣＣ、加入国国番号の配信条件を設定しているものとする。また携帯端末１は、ローミング先ネットワークの設定は自動的に行うが、データローミングは行わない設定になっているとする。
【０１８４】
位置登録動作：
日本（国番号８１）で契約した０９０１２３４１２３４の電話番号を有する携帯端末１の所有者が、携帯端末１をシンガポール（ＭＣＣ５２５）に持ち込み、携帯端末の電源を入れると、ＳＭＳ受信部１５が、パケット非対応移動体基地局５もしくはパケット対応移動体基地局４を通じて、渡航先位置登録サーバ８に在圏情報の登録を行う。このとき、携帯端末が在圏するネットワークのＩＤ（ＭＣＣ／ＭＮＣ：たとえば５２５−０１）と、加入者番号（８１９０１２３４１２３４）が共通線信号網を通じて通知される。
【０１８５】
渡航先位置登録サーバ８は、パケット対応移動体基地局４もしくはパケット非対応移動体基地局５から、共通線信号網（ＳＳ７など）を通じて、携帯端末１の在圏情報（位置登録情報）を受信する。今回は、携帯端末１の電話番号から判別できる携帯端末１の契約元携帯電話事業者が自社以外である（渡航先位置登録サーバ８を所管する事業者から見てローミングインにあたる）ため、携帯端末１の加入元位置登録サーバ９に、位置登録を行う。この際、携帯端末１の電話番号（８１９０１２３４１２３４）と、渡航先位置登録サーバ８が属するネットワークのＭＣＣ（５２５）およびＭＮＣ（０１）を、加入元位置登録サー９に通知する。
【０１８６】
加入元位置登録サーバ９は、渡航先位置登録サーバ８から、共通線信号網（ＳＳ７など）を通じて、携帯端末１の在圏情報（位置登録情報）を受信する。加入元位置登録サーバ９は、在圏情報の登録を受け、自社の加入者がシンガポールのネットワークにローミングアウトしたことを検知する。すると、コンテンツ選択部２４に、渡航先のＭＮＣ（ここでは５２５）と加入者番号（８１９０１２３４１２３４）を、コンテンツ選択部２４に通知する。
【０１８７】
コンテンツ選択部２４は、位置登録サーバ８から渡航先のＭＮＣ（ここでは５２５）と加入者番号（８１９０１２３４１２３４）の通知を受けると、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１４時５１分２３秒に、渡航先ＭＮＣ＝５２５、加入国国番号８１を条件に検索を行い、検索の結果、コンテンツＩＤ００００１を得る。
【０１８８】
コンテンツ選択部２４は、コンテンツ管理テーブル２３１を検索した結果得られたコンテンツＩＤ（ここでは００００１）に対応するコンテンツの簡略版ファイル名をコンテンツ管理テーブル２３１を用いて検索し、コンテンツサーバ２３から簡略版ファイル（ここでは００００１．ｔｘｔ）を得る。
【０１８９】
コンテンツ選択部２４は、コンテンツサーバ２３から取得した簡略版ファイル（ここでは００００１．ｔｘｔ）内に記載されている本文を、８１９０１２３４１２３４宛てに送信するよう、ＳＭＳ送信部２２に指示する。このとき、本文の先頭に、簡略版コンテンツを示す識別子とコンテンツＩＤ（ここではＣＯＮＴ＝００００１）を挿入する。
【０１９０】
ＳＭＳ送信部２２は、コンテンツ選択部２４から受信した本文が、ＳＭＳで送受信できるサイズを超えているため、本文を複数のＳＭＳに分割した上で、一般的に連結ＳＭＳとよばれる方式で、電話回線７およびパケット対応移動体基地局４あるいはパケット非対応移動体基地局５を通じてＳＭＳ受信部１５に送信する。ＳＭＳ受信部１５は、分割送信されたＳＭＳを受信して連結し、連結完了後に、表示制御部１２に対してＳＭＳ受信通知を送る。
【０１９１】
表示制御部１２は、ＳＭＳ受信部１５からＳＭＳ受信通知をうけ、本文を取得する。本文の先頭に、簡略版コンテンツを示す識別子とコンテンツＩＤ（ＣＯＮＴ＝００００１）が含まれていることから、到着したＳＭＳが簡略版コンテンツであると判別する。またこのとき、ＳＭＳ本文から、コンテンツＩＤ「００００１」を抽出する。
【０１９２】
表示制御部１２は、無線ＬＡＮ通信部１３およびパケット通信部に対して、インターネット６に接続可能であるか否かを問い合わせるが、携帯端末１は、データローミングを行わない設定になっている為、インターネット接続不可との回答を得る。このため、受信した簡略版コンテンツを表示部１１で表示する。
【０１９３】
次に、実施例２について説明する。実施例２はデータローミング許可中のローミングアウト端末への情報配信に関するものである。実施例２では、日本（国番号８１）で契約した０９０１２３４１２３４の電話番号を有する携帯端末１の所有者が、携帯端末１をシンガポール（ＭＣＣ５２５）に持ち込み、ローミングアウトを行った場合に、ローミングアウト端末への情報配信を行う場合を例に、説明を行う。
【０１９４】
ここでは、あらかじめ、配信装置２の管理者が、コンテンツサーバ２３内に、図４および図５に示す標準版コンテンツおよび簡略版コンテンツを登録しており、さらに図２に示す期間、曜日、時間帯、渡航先ＭＣＣ、加入国国番号の配信条件を設定しているものとする。また携帯端末１は、ローミング先ネットワークの設定を自動的に行い、さらにデータローミングを行う設定になっているとする。
【０１９５】
位置登録動作：
日本（国番号８１）で契約した０９０１２３４１２３４の電話番号を有する携帯端末１の所有者が、携帯端末１をシンガポール（ＭＣＣ５２５）に持ち込み、携帯端末の電源を入れると、ＳＭＳ受信部１５が、パケット非対応移動体基地局５もしくはパケット対応移動体基地局４を通じて、渡航先位置登録サーバ８に在圏情報の登録を行う。このとき、携帯端末が在圏するネットワークのＩＤ（ＭＣＣ／ＭＮＣ：たとえば５２５−０１）と、加入者番号（８１９０１２３４１２３４）が共通線信号網を通じて通知される。
【０１９６】
渡航先位置登録サーバ８は、パケット対応移動体基地局４もしくはパケット非対応移動体基地局５から、共通線信号網（ＳＳ７など）を通じて、携帯端末１の在圏情報（位置登録情報）を受信する。今回は、携帯端末１の電話番号から判別できる携帯端末１の契約元携帯電話事業者が自社以外である（渡航先位置登録サーバ８を所管する事業者から見てローミングインにあたる）ため、携帯端末１の加入元位置登録サーバ９に、位置登録を行う。この際、携帯端末１の電話番号（８１９０１２３４１２３４）と、渡航先位置登録サーバ８が属するネットワークのＭＣＣ（５２５）およびＭＮＣ（０１）を、加入元位置登録サー９に通知する。
【０１９７】
加入元位置登録サーバ９は、渡航先位置登録サーバ８から、共通線信号網（ＳＳ７など）を通じて、携帯端末１の在圏情報（位置登録情報）を受信する。加入元位置登録サーバ９は、在圏情報の登録を受け、自社の加入者がシンガポールのネットワークにローミングアウトしたことを検知する。すると、コンテンツ選択部２４に、渡航先のＭＮＣ（ここでは５２５）と加入者番号（８１９０１２３４１２３４）を、コンテンツ選択部２４に通知する。
【０１９８】
コンテンツ選択部２４は、位置登録サーバ８から渡航先のＭＮＣ（ここでは５２５）と加入者番号（８１９０１２３４１２３４）の通知を受けると、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１４時５１分２３秒に、渡航先ＭＮＣ＝５２５、加入国国番号８１を条件に検索を行い、検索の結果、コンテンツＩＤ００００１を得る。
【０１９９】
コンテンツ選択部２４は、コンテンツ管理テーブル２３１を検索した結果得られたコンテンツＩＤ（ここでは００００１）に対応するコンテンツの簡略版ファイル名をコンテンツ管理テーブル２３１を用いて検索し、コンテンツサーバ２３から簡略版ファイル（ここでは００００１．ｔｘｔ）を得る。
【０２００】
コンテンツ選択部２４は、コンテンツサーバ２３から取得した簡略版ファイル（ここでは００００１．ｔｘｔ）内に記載されている本文を、８１９０１２３４１２３４宛てに送信するよう、ＳＭＳ送信部２２に指示する。このとき、本文の先頭に、簡略版コンテンツを示す識別子とコンテンツＩＤ（ここではＣＯＮＴ＝００００１）を挿入する。
【０２０１】
ＳＭＳ送信部２２は、コンテンツ選択部２４から受信した本文が、ＳＭＳで送受信できるサイズを超えているため、本文を複数のＳＭＳに分割した上で、一般的に連結ＳＭＳとよばれる方式で、電話回線７およびパケット対応移動体基地局４あるいはパケット非対応移動体基地局５を通じて複数のＳＭＳ受信部１５に送信する。
【０２０２】
ＳＭＳ受信部１５は、分割送信されたＳＭＳを受信して連結し、連結完了後に、表示制御部１２に対してＳＭＳ受信通知を送る。
【０２０３】
表示制御部１２は、ＳＭＳ受信部１５からＳＭＳ受信通知をうけ、本文を取得する。本文の先頭に、簡略版コンテンツを示す識別子とコンテンツＩＤ（ＣＯＮＴ＝００００１）が含まれていることから、到着したＳＭＳが簡略版コンテンツであると判別する。またこのとき、ＳＭＳ本文から、コンテンツＩＤ「００００１」を抽出する。
【０２０４】
表示制御部１２は、無線ＬＡＮ通信部１３およびパケット通信部１４に対して、インターネット６に接続可能であるか否かを問い合わせるが、携帯端末１は、データローミングを行う設定になっている為、インターネット接続可能との回答を得る。このため、無線ＬＡＮ通信部１３および無線ＬＡＮアクセスポイント３、またはパケット通信部１４およびパケット対応移動体基地局４を通じ、ＷＥＢサーバ２１に対してコンテンツＩＤ（００００１）を提示し、標準版コンテンツを要求する。
【０２０５】
ＷＥＢサーバ２１は、要求されたコンテンツＩＤ＝００００１に対応するコンテンツの標準版ファイル名をコンテンツ管理テーブル２３１を用いて検索し、コンテンツサーバ２３から標準版ファイル（ここでは００００１．ｈｔｍ）を得る。
【０２０６】
ＷＥＢサーバ２１は、コンテンツサーバ２３から取得した標準版ファイル（ここでは００００１．ｈｔｍ）を、インターネット６を通じて、表示制御部に送信する。表示制御部１２は、ＷＥＢサーバ２１から標準版ファイル（ここでは００００１．ｈｔｍ）を受信すると、受信した本文を表示部１１で表示する。
【０２０７】
以上の説明では、コンテンツＩＤを含んだＳＭＳであること、および、簡略版コンテンツ本体を含むＳＭＳであることを、識別子（たとえばＰＵＳＨやＣＯＮＴ）を用いて表現したが、配信装置２内のＳＭＳ送信部２２に、コンテンツＩＤ送信用と簡略版コンテンツ送信用の２つの電話番号を持たせ、ＳＭＳ受信部１５が、発信者番号通知機能で通知される発信電話番号をもとに、送信されてきたＳＭＳの種類を判別してもよい。
【０２０８】
また、以上の説明では、渡航先をＭＣＣを用いて判別しているが、ＭＣＣとＭＮＣを組み合わせて判別してもよい。また、ＭＣＣの代わりに、国番号を用いてもよい。
【０２０９】
さらに、パケット対応移動体基地局４やパケット非対応移動体基地局５に、あらかじめパケット対応移動体基地局４やパケット非対応移動体基地局５が設置されている場所の緯度経度を登録しておき、位置登録時に緯度経度情報も一緒にコンテンツ選択部２４に通知し、コンテンツ選択部２４が、加入元位置登録サーバ９から通知される緯度経度を元に渡航先を判別してもよい。
【０２１０】
以上の説明では、ローミングアウト時に、ローミング先のエリア内に居る携帯端末１に対して情報配信する例を示したが、位置登録時に緯度経度情報も一緒にコンテンツ選択部２４に通知する場合は、ローミングではない場合（自社エリア内に居る端末に対して）に、情報のプッシュ配信を行うこともできる。
【０２１１】
本実施形態によれば、携帯端末１がパケット網を利用できない地域に居る場合や、データローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信することができる。
【０２１２】
次に、本発明の第４の実施形態について説明する。第４の実施形態は、携帯端末１がパケット網を利用できない地域に居る場合や、データローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信するものである。
【０２１３】
第４の実施形態は、第１の実施形態に対して、携帯端末１がすべての標準版コンテンツを、あらかじめコンテンツサーバ２３Ｂより取得してコンテンツ蓄積部１６に蓄積しておき、コンテンツ選択部２４ＢからコンテンツＩＤを受信すると、あらかじめ蓄積しているコンテンツの中から通知されたコンテンツＩＤに対応する標準版コンテンツを選び出して表示する点において異なる。
【０２１４】
図１４は本発明の第４の実施形態に係るプッシュ配信システムのブロック図である。同図を参照して、本発明の第４の実施形態に係るプッシュ配信システムを説明する。本実施形態に係るプッシュ配信システムは、本発明の第１の実施形態に係るプッシュ配信システムに対して、表示制御部１２の代わりに表示制御部１２Ｂを設置し、コンテンツ蓄積部１６およびタイマー１７を新たに設置し、ＷＥＢサーバ２１の代わりにＷＥＢサーバ２１Ｂを設置し、コンテンツサーバ２３の代わりにコンテンツサーバ２３Ｂを設置し、コンテンツ選択部２４の代わりにコンテンツ選択部２４Ｂを設置する点において異なる。
【０２１５】
表示制御部１２Ｂは、ＳＭＳ受信部１５よりコンテンツＩＤの通知を受け、コンテンツ蓄積部１６内の蓄積コンテンツ管理テーブル１６１を検索してコンテンツＩＤに対応する標準版コンテンツを検索して表示部１１に表示するＳＭＳ受信動作１２１Ｂを行う。表示制御部１２Ｂは、具体的には、スマートフォン（高機能携帯電話機）やタブレット端末にインストールするアプリケーション（アプリ）の形で提供する。なお、コンテンツ蓄積部１６と表示制御部１２Ｂを、１つのアプリケーションとして提供してもよい。
【０２１６】
コンテンツ蓄積部１６は、内部に蓄積コンテンツ管理テーブル１６１、標準版コンテンツ１６２をもち、コンテンツ蓄積動作１６３を行う。コンテンツ蓄積部１６は、具体的には、スマートフォン（高機能携帯電話機）やタブレット端末にインストールするアプリケーション（アプリ）の形で提供する。なお、コンテンツ蓄積部１６と表示制御部１２Ｂを、１つのアプリケーションとして提供してもよい。
【０２１７】
蓄積コンテンツ管理テーブル１６１は、蓄積している標準版コンテンツの一覧を示すテーブルである。標準版コンテンツ１６２は、コンテンツサーバ２３Ｂ内に保管されている標準版コンテンツ２３２と同様のコンテンツである。
【０２１８】
コンテンツ蓄積動作１６３は、タイマー１７からタイマーイベントを受信するごとに行われる動作であり、配信装置２内のＷＥＢサーバ２１Ｂに対して、コンテンツサーバ２３内にあるすべての標準版コンテンツ２３２を要求して蓄積すると共に、蓄積コンテンツ管理テーブル１６１に蓄積したコンテンツのＩＤおよびファイル名を記録する動作である。
【０２１９】
タイマー１７は、第１の実施の形態におけるタイマー２６と同様のタイマーである。ＷＥＢサーバ２１Ｂは、携帯端末１からインターネット６を通じて届くコンテンツ取得要求に応じて、要求で提示されたコンテンツＩＤに対応するコンテンツをコンテンツサーバ２３から取り出し、インターネット６を通じて携帯端末１に送信する。また、携帯端末１からインターネット６を通じてコンテンツ取得要求を受信した場合、携帯端末１の電話番号から構成されるコンテンツ取得通知をコンテンツ選択部２４Ｂに送信する。
【０２２０】
コンテンツサーバ２３Ｂは、第１の実施形態におけるコンテンツサーバ２３に対して、コンテンツ管理テーブル２３１の代わりにコンテンツ管理テーブル２３１Ｂを持ち、簡略版コンテンツ２３３をもたない点において異なる。
【０２２１】
コンテンツ選択部２４Ｂは、第１の実施形態におけるコンテンツ選択部２４に対して、コンテンツ通知履歴テーブル２４１の代わりにコンテンツ保有者リスト２４１Ｂをもち、ローミング通知受信動作２４２の代わりにローミング通知受信動作２４２Ｂを行い、コンテンツ取得通知受信動作２４３の代わりにコンテンツ取得通知受信動作２４３Ｂを行い、タイマーイベント受信動作２４４の代わりにタイマーイベント受信動作２４４Ｂを行う点において異なる。コンテンツ保有者リスト２４１Ｂは、コンテンツを蓄積している携帯端末１の電話番号、および最終ダウンロード日時を記録するテーブルである。
【０２２２】
ローミング通知受信動作２４２Ｂは、制御網８からローミングインもしくはローミングアウトのイベントを受信し、制御網８から通知された電話番号をキーにコンテンツ保有者テーブル２４１Ｂを検索し、コンテンツを保有している場合は、コンテンツサーバ２３内のコンテンツ管理テーブル２３１Ｂを参照して条件に合致するコンテンツを検索し、検索されたコンテンツのコンテンツＩＤを、制御網８から通知を受けた携帯端末１の電話番号宛に送信するよう、ＳＭＳ送信部２２に指示する。
【０２２３】
コンテンツ取得通知受信動作２４３Ｂは、ＷＥＢサーバ２１Ｂからコンテンツ取得通知を受信した場合、コンテンツ通知履歴テーブル２４１Ｂに、コンテンツをダウンロードした携帯端末１の電話番号、および最終ダウンロード日時を記録する。
【０２２４】
タイマーイベント受信動作２４４Ｂは、タイマー２６からタイマーイベントを受信した場合に、コンテンツ保有者テーブル２４１Ｂを確認し、最終ダウンロード日時から一定時間以上（たとえば１ヶ月以上）経過しているエントリを削除する。
【０２２５】
図１５は、コンテンツ蓄積部１６内に記録され、コンテンツ蓄積部１６が蓄積しているコンテンツの一覧を示す、蓄積コンテンツ管理テーブル１６１の一例を示す図である。蓄積コンテンツ管理テーブル１６１は、コンテンツＩＤ１６１１、標準版ファイル１６１２より構成される。
【０２２６】
コンテンツＩＤ１６１１は、コンテンツ蓄積部１６内に保管されているコンテンツを一意に示すＩＤである。標準版ファイル１６１２は、インターネット６を通じて配信されて蓄積しているコンテンツのファイル名を記録する項目である。
【０２２７】
図１６は、コンテンツサーバ２３内に記録され、コンテンツサーバ２３が保管しているコンテンツの一覧を示す、コンテンツ管理テーブル２３１Ｂの一例を示す図である。コンテンツ管理テーブル２３１Ｂは、第１の実施の形態におけるコンテンツ管理テーブル２３１に対して、簡略版ファイル２３１８をもたない点において異なる。
【０２２８】
図１７は、コンテンツ選択部２４内に記録され、インターネット６経由で既にコンテンツをダウンロードして蓄積している携帯端末１の電話番号および最終ダウンロード日時を記録する、コンテンツ保有者リスト２４１Ｂの一例を示す図である。コンテンツ保有者リスト２４１Ｂは、コンテンツ保有者２４１１、最終ダウンロード日時２４１２より構成される。
【０２２９】
コンテンツ保有者２４１１Ｂは、インターネット６経由で既にコンテンツをダウンロードして蓄積している携帯端末１の電話番号を記載する領域である。最終ダウンロード日時２４１２Ｂは、最終ダウンロード日時を記録する領域である。
【０２３０】
図１８は、表示制御部１２Ｂにおける、ＳＭＳ受信動作１２１Ｂの一例を示す流れ図である。表示制御部１２Ｂは、ＳＭＳ受信部１５よりＳＭＳ受信通知を受けると、ＳＭＳ受信動作１２１Ｂが起動し、ＳＭＳ受信部１５において受信・保管されているＳＭＳの本体を取得する（ステップ１２１１Ｂ）。
【０２３１】
ステップ１２１１Ｂにおいて取得したＳＭＳ本体の中に、コンテンツＩＤを示す識別子（たとえばＰＵＳＨ）が含まれている場合は、ステップ１２１３Ｂに移る。コンテンツＩＤを示す識別子（たとえばＰＵＳＨ）が含まれていない場合は、ＳＭＳ受信動作１２１Ｂを終了する（ステップ１２１２Ｂ）。
【０２３２】
表示制御部１２Ｂは、ステップ１２１２Ｂで取得したコンテンツＩＤをキーに蓄積コンテンツ管理テーブル１６１を検索する（ステップ１２１３Ｂ）。前記検索の結果、コンテンツＩＤに対応する標準版コンテンツを蓄積している場合は、ステップ１２１５Ｂに移る。コンテンツＩＤに対応する標準版コンテンツを蓄積していない場合は、ＳＭＳ受信動作１２１Ｂを終了する（ステップ１２１４Ｂ）。検索された標準版コンテンツを、コンテンツ蓄積部１６から取得し、表示部１１に表示する（ステップ１２１５Ｂ）。
【０２３３】
図１９は、コンテンツ蓄積部１６における、コンテンツ蓄積動作１６３の一例を示す流れ図である。コンテンツ蓄積部１６は、タイマー１７より、タイマーイベントを受信すると、コンテンツ蓄積動作１６３を起動する（ステップ１６３１）。
【０２３４】
コンテンツ蓄積部１６は、無線ＬＡＮ通信部１３およびパケット通信部１４に対して、インターネット６に接続可能であるか否かを問い合わせる。無線ＬＡＮ通信部１３とパケット通信部１４のいずれか又は両方でインターネット６に接続可能である場合（つまりＷＥＢサーバ２１Ｂと通信可能である場合）は、ステップ１６３３に移る。無線ＬＡＮ通信部１３とパケット通信部１４の両方でインターネット６に接続できない場合（つまりＷＥＢサーバ２１Ｂと通信不可である場合）は、ステップ１６３５に移る（ステップ１６３２）。
【０２３５】
ステップ１６３２においてインターネット６に接続可能であると判断した場合、自身の電話番号を、無線ＬＡＮ通信部１３もしくはパケット通信部１４を通じて、インターネット６経由でＷＥＢサーバ２１Ｂに送信し、インターネット６経由ですべての標準版コンテンツ２３２を一括ダウンロードする（ステップ１６３３）。
【０２３６】
コンテンツ蓄積部１６は、ステップ１６３２において一括ダウンロードした標準版コンテンツ２３２のコンテンツＩＤおよびファイル名を、蓄積コンテンツ管理テーブル１６１に記載する（ステップ１６３４）。
【０２３７】
一定時間後（たとえば１ヵ月後）に再度コンテンツ蓄積動作１６３が起動するよう、タイマー１７を設定し、コンテンツ蓄積動作１６３を終了する（ステップ１６３５）。
【０２３８】
図２０は、コンテンツ選択部２４Ｂにおける、ローミング通知受信動作２４２Ｂの一例を示す流れ図である。コンテンツ選択部２４Ｂは、加入元位置登録サーバ９より、ローミングアウトを行った携帯端末１の電話番号、および在圏エリア（渡航先）のＭＣＣを含むローミング通知を受け取ると、ローイング通知受信動作２４２Ｂが起動する（ステップ２４２１Ｂ）。
【０２３９】
コンテンツ選択部２４Ａは、加入元位置登録サーバ９より通知を受けた携帯端末１の電話番号をキーにコンテンツ保有者リスト２４１Ｂを検索する（ステップ２４２２Ｂ）。
【０２４０】
前記検索の結果、加入元位置登録サーバ９より通知を受けた携帯端末１がコンテンツを保有している場合は、ステップ２４２４Ｂに移る。コンテンツを保有していない場合は、ローミング通知受信動作２４２Ｂを終了する。コンテンツ選択部２４Ｂは、時計２５より現在の年月日時分秒を取得する（ステップ２４２４Ｂ）。
【０２４１】
コンテンツ選択部２４Ｂは、ステップ２４２１Ｂで受信した携帯端末１の電話番号から判別できる加入国の国番号、ステップ２４２１Ｂで受信した渡航先のＭＣＣ、ステップ２４２４Ｂで取得した現在の日付、時間、曜日をキーに、コンテンツ管理テーブル２３１Ｂを検索し、条件に合致するコンテンツのＩＤを取得する（ステップ２４２５Ｂ）。
【０２４２】
ステップ２４２５Ｂにおいて、条件に合致するコンテンツが１つ以上見つかった場合は、ステップ２４２７Ｂに進む。条件に合致するコンテンツを検索できなかった場合は、ローミング通知受信動作２４２Ｂを終了する（ステップ２４２６Ｂ）。
【０２４３】
ステップ２４２６Ｂにおいて条件に合致するコンテンツのＩＤを、ステップ２４２１Ｂにおいて制御網８から通知を受けた携帯端末１の電話番号宛に、ＳＭＳ送信部２２を用いて送信する（ステップ２４２７Ｂ）。
【０２４４】
図２１は、コンテンツ選択部２４Ｂにおける、コンテンツ取得通知受信動作２４３Ｂの一例を示す流れ図である。コンテンツ選択部２４Ｂは、ＷＥＢサーバ２１より、標準版コンテンツを一括ダウンロードした端末の電話番号から構成されるコンテンツ取得通知を受信すると、コンテンツ取得通知受信動作２４３Ｂを起動する（ステップ２４３１Ｂ）。
【０２４５】
コンテンツ選択部２４Ｂは、時計２５より現在の年月日時分秒を取得する（ステップ２４３２Ｂ）。そして、ステップ２４３１Ｂで受信した電話番号、ステップ２４３２Ｂで取得した現在の年月日時分秒を、コンテンツ保有者リスト２４１Ｂに記載する（ステップ２４３３Ｂ）。
【０２４６】
図２２は、コンテンツ選択部２４Ｂにおける、タイマーイベント受信動作２４４Ｂの一例を示す流れ図である。コンテンツ選択部２４Ｂは、タイマー２６より、タイマーイベントを受信すると、タイマーイベント受信動作２４４Ｂを起動する（ステップ２４４１Ｂ）。コンテンツ選択部２４Ｂは、時計２５より現在の年月日時分秒を取得する。（ステップ２４４２Ｂ）
【０２４７】
コンテンツ選択部２４Ｂは、ステップ２４４２Ｂで取得した現在日時をキーに、コンテンツ保有者テーブル２４１Ｂを検索し、最終ダウンロード日時から現在日時までの間が一定期間(たとえば２ヶ月）以上経過しているエントリを検索する（ステップ２４４３Ｂ）。
【０２４８】
ステップ２４４３Ｂにおいて、条件に合致するエントリが見つかった場合は、ステップ２４４５Ｂに進む。条件に合致するエントリを検索できなかった場合は、ステップ２４４６Ｂに進む（ステップ２４４４Ｂ）。ステップ２４４４Ｂにおいて検索されたエントリを削除する（ステップ２４４５Ｂ）。
【０２４９】
一定時間後（たとえば１ヶ月後）に再度タイマーイベント受信動作２４４Ｂが起動するよう、タイマー２６を設定し、タイマーイベント受信動作２４４Ｂを終了する（ステップ２４４６Ｂ）。
【０２５０】
以下、図１４を参照して、本システムを用いたプッシュ配信方法を具体的に説明する。本実施例では、日本（国番号８１）で契約した０９０１２３４１２３４の電話番号を有する携帯端末１の所有者が、携帯端末１をシンガポール（ＭＣＣ５２５）に持ち込み、ローミングアウトを行った場合に、ローミングアウト端末への情報配信を行う場合を例に、説明を行う。
【０２５１】
ここでは、あらかじめ、配信装置２の管理者が、コンテンツサーバ２３Ｂ内に、図４および図５に示す標準版コンテンツおよび簡略版コンテンツを登録しており、さらに図１６に示す期間、曜日、時間帯、渡航先ＭＣＣ、加入国国番号の配信条件を設定しているものとする。
【０２５２】
さらに、配信装置２の起動時にタイマーイベント受信動作２４４Ｂが実行され、以降定期的にタイマーイベント受信動作２４４Ｂが動作するものとする。同様に、携帯端末１の起動時にコンテンツ蓄積動作１６３が実行され、以降定期的にコンテンツ蓄積動作１６３が動作するものとする。また携帯端末１は、ローミング先ネットワークの設定は自動的に行うが、データローミングは行わない設定になっているとする。
【０２５３】
コンテンツ蓄積動作：
日本（国番号８１）で契約した０９０１２３４１２３４の電話番号を有する携帯端末１の所有者が、日本滞在時（パケット通信利用可能時）もしくは、渡航先のホテルなど無線ＬＡＮを利用可能な環境において、携帯端末１の電源を入れると、コンテンツ蓄積動作１６３が起動する（ここでは、無線ＬＡＮ利用可能であるとする）。
【０２５４】
コンテンツ蓄積部１６は、無線ＬＡＮ通信部１３およびパケット通信部１４に、インターネット利用可否の問い合わせを行い、無線ＬＡＮ通信部１３よりインターネット接続可能であるとの通知を受ける。すると、無線ＬＡＮ通信部１３、無線ＬＡＮアクセスポイント３、インターネット６を通じて、ＷＥＢサーバ２１Ｂに対して自身の電話番号（８１９０１２３４１２３４）を提示し、コンテンツサーバ２３Ｂ内に格納されている全ての標準版コンテンツ２３２を、インターネット６、無線ＬＡＮアクセスポイント３、無線ＬＡＮ通信部１３を通じてダウンロードし蓄積する。
【０２５５】
ＷＥＢサーバ２１Ｂは、コンテンツ選択部２４Ｂに対して、携帯端末１の電話番号（８１９０１２３４１２３４）を含むコンテンツ取得通知を発行する。
【０２５６】
コンテンツ選択部２４Ｂは、ＷＥＢサーバ２１Ｂからコンテンツ取得通知を受けると、時計２５より現在の年月日時分秒を取得（ここでは２０１２年１月３日２３時４５分１２秒とする）し、携帯端末１の電話番号（８１９０１２３４１２３４）および現在の年月日時分秒（２０１２０１０３２３４５１２）を、コンテンツ保有者リスト２４１Ｂに記載する。
【０２５７】
位置登録動作：
携帯端末１の所有者が、携帯端末１をシンガポール（ＭＣＣ５２５）に持ち込み、携帯端末の電源を入れると、ＳＭＳ受信部１５が、パケット非対応移動体基地局５もしくはパケット対応移動体基地局４を通じて、渡航先位置登録サーバ８に在圏情報の登録を行う。このとき、携帯端末が在圏するネットワークのＩＤ（ＭＣＣ／ＭＮＣ：たとえば５２５−０１）と、加入者番号（８１９０１２３４１２３４）が共通線信号網を通じて通知される。
【０２５８】
渡航先位置登録サーバ８は、パケット対応移動体基地局４もしくはパケット非対応移動体基地局５から、共通線信号網（ＳＳ７など）を通じて、携帯端末１の在圏情報（位置登録情報）を受信する。今回は、携帯端末１の電話番号から判別できる携帯端末１の契約元携帯電話事業者が自社以外である（渡航先位置登録サーバ８を所管する事業者から見てローミングインにあたる）ため、携帯端末１の加入元位置登録サーバ９に、位置登録を行う。この際、携帯端末１の電話番号（８１９０１２３４１２３４）と、渡航先位置登録サーバ８が属するネットワークのＭＣＣ（５２５）およびＭＮＣ（０１）を、加入元位置登録サー９に通知する。
【０２５９】
加入元位置登録サーバ９は、渡航先位置登録サーバ８から、共通線信号網（ＳＳ７など）を通じて、携帯端末１の在圏情報（位置登録情報）を受信する。加入元位置登録サーバ９は、在圏情報の登録を受け、自社の加入者がシンガポールのネットワークにローミングアウトしたことを検知する。すると、コンテンツ選択部２４に、渡航先のＭＮＣ（ここでは５２５）と加入者番号（８１９０１２３４１２３４）を、コンテンツ選択部２４Ｂに通知する。
【０２６０】
コンテンツ選択部２４Ｂは、位置登録サーバ８から渡航先のＭＮＣ（ここでは５２５）と加入者番号（８１９０１２３４１２３４）の通知を受けると、加入者番号（８１９０１２３４１２３４）をキーにコンテンツ保有者リスト２４１Ｂを検索する。この結果、２０１２年１月３日２３時４５分１２秒にコンテンツをダウンロードして保有していることが判明する。
【０２６１】
コンテンツ選択部２４Ｂは、現在の日付、曜日、時刻、渡航国ＭＮＣ、および加入国国番号をキーにコンテンツ管理テーブル２３１を検索し、条件に合致するコンテンツを検索する。ここでは、２０１２年１月５日木曜日（曜日コード４）１４時５１分２３秒に、渡航先ＭＮＣ＝５２５、加入国国番号８１を条件に検索を行い、検索の結果、コンテンツＩＤ００００１を得る。
【０２６２】
コンテンツ選択部２４Ｂは、コンテンツ管理テーブル２３１Ｂを検索した結果得られたコンテンツＩＤ（ここでは００００１）を、８１９０１２３４１２３４宛てに送信するよう、ＳＭＳ送信部２２に指示する。このとき、本文の先頭に、コンテンツＩＤを示す識別子とコンテンツＩＤ（ここではＰＵＳＨ＝００００１）を挿入する。
【０２６３】
ＳＭＳ送信部２２は、コンテンツ選択部２４Ｂから受信した本文を、電話回線７およびパケット対応移動体基地局４あるいはパケット非対応移動体基地局５を通じてＳＭＳ受信部１５に送信する。ＳＭＳ受信部１５は、ＳＭＳを受信し、表示制御部１２に対してＳＭＳ受信通知を送る。
【０２６４】
表示制御部１２Ｂは、ＳＭＳ受信部１５からＳＭＳ受信通知をうけ、本文を取得する。本文の先頭に、コンテンツＩＤを示す識別子およびコンテンツＩＤ（ＰＵＳＨ＝００００１）が含まれていることから、到着したＳＭＳがコンテンツＩＤ通知であると判別する。またこのとき、ＳＭＳ本文から、コンテンツＩＤ「００００１」を抽出する。
【０２６５】
表示制御部１２Ｂは、コンテンツ蓄積部１６に対してコンテンツＩＤ（００００１）を提示し、標準版コンテンツを要求する。表示制御部１２Ｂは、要求されたコンテンツＩＤ＝００００１に対応するコンテンツの標準版ファイル名をコンテンツ管理テーブル１６１を用いて検索し、コンテンツ蓄積部１６から標準版ファイル（ここでは００００１．ｈｔｍ）を得る。表示制御部１２Ｂは、取得した標準版ファイル（ここでは００００１．ｈｔｍ）を表示部１１で表示する。
【０２６６】
本実施形態によれば、携帯端末１がパケット網を利用できない地域に居る場合や、データローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信することができる。
【０２６７】
以上の説明では、コンテンツ保有者リスト２４１Ｂにおいて、コンテンツ保有者の電話番号と最終ダウンロード日時のみを管理しているが、さらに、携帯端末１がダウンロードしたコンテンツのバージョンや種類も管理し、携帯端末１に蓄積されているコンテンツのバージョンや種類に応じて、古いバージョンしか蓄積していない場合は、ＳＭＳの送信を取りやめるなどＳＭＳの送信を制御しても良い。
【０２６８】
また、以上の説明では、コンテンツ蓄積動作１６３において、全てのコンテンツを一括ダウンロードしているが、全コンテンツをまとめて取得する代わりに、携帯端末１の所有者が希望するコンテンツのみを取得するようにしてもよい。
【０２６９】
次に、本発明の第５の実施の形態として、プッシュ配信方法のプログラムについて説明する。図１、図１０、図１１および図１４に示す配信装置２には図示しないコンピュータおよびプログラム格納部が設けられている。このコンピュータは少なくとも配信装置２内のコンテンツサーバ２３、コンテンツ選択部２４、ＷＥＢサーバ２１およびＳＭＳ送信部２２を制御する。
【０２７０】
一方、プログラム格納部には図７、図８、図９、図１３、図２０、図２１および図２２に流れ図で示す配信装置２の動作手順を示すプログラムが格納されている。配信装置２のコンピュータは、プログラム格納部からそれらのプログラムを読み出し、そのプログラムにしたがって少なくともコンテンツサーバ２３、コンテンツ選択部２４、ＷＥＢサーバ２１およびＳＭＳ送信部２２を制御する。その制御の内容については既に述べたので、ここでの説明は省略する。
【０２７１】
以上説明したように、本発明の第５の実施の形態によれば、パケット網を利用できない場合において、ユーザ位置、および最新情報に基づいたコンテンツを提供することが可能なプッシュ配信方法のプログラムが得られる。
【０２７２】
上記の実施形態の一部または全部は、以下の付記のようにも記載されうるが、以下には限られない。
【０２７３】
（付記１）  配信装置内に備えるコンテンツのうちのどれを携帯端末がパケット網を介して受信すべきかの情報をテキストメッセージで電話回線を介して前記携帯端末に送信し、前記テキストメッセージの送信から一定時間が経過しても前記携帯端末がコンテンツを取得しない場合は、前記コンテンツを簡略化したテキストメッセージを前記電話回線を介して前記携帯端末に配信する手段を含むプッシュ配信装置であって、
簡略化したテキストメッセージは携帯端末の契約元携帯電話事業者を介してローミング先の携帯端末へ送信されることを特徴とするプッシュ配信装置。
【０２７４】
（付記２）  前記簡略化したテキストメッセージは前記携帯端末の契約元携帯電話事業者の提携先事業者を介してローミング先の前記携帯端末へ送信されることを特徴とする付記１記載のプッシュ配信装置。
【０２７５】
（付記３）  前記配信装置は、前記配信装置内に備えるコンテンツのうちのどれをその時点で前記携帯端末がパケット網を介して受信すべきかの情報を、テキストメッセージで電話回線を介して前記携帯端末に送信することを特徴とする付記１または２記載のプッシュ配信装置。
【０２７６】
（付記４）  前記配信装置は、前記配信装置内に備えるコンテンツのうちのどれをその時点で前記携帯端末がパケット網を介して受信すべきかの情報をテキストメッセージで電話回線を介して前記携帯端末に送信する代わりに、ただちに前記配信装置で指定したコンテンツを簡略化したテキストメッセージを前記電話回線を介して前記携帯端末に配信することを特徴とする付記１または２記載のプッシュ配信装置。
【０２７７】
（付記５）  携帯端末がローミングアウトしたとの情報をサーバを介して受信した場合に、表示すべきコンテンツのコンテンツＩＤおよび表示タイミングを決定するコンテンツ選択部と、前記コンテンツＩＤおよび前記コンテンツＩＤを含むメッセージであること示す識別子を含むテキストメッセージを携帯端末に送信するＳＭＳ送信部と、前記携帯端末からコンテンツが取得されると前記コンテンツを取得した者の電話番号およびコンテンツＩＤを含むコンテンツ取得通知を発行するＷＥＢサーバと、設定された時刻にコンテンツ取得通知の到着確認手順を起動するタイマーとを具備し、前記コンテンツ選択部は、前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信するプッシュ配信装置であって、
コンテンツ選択部は、現在の年月日、現在の曜日、現在の時刻、携帯端末が在圏する国のＭＣＣ（Ｍｏｂｉｌｅ  Ｃｏｕｎｔｒｙ  Ｃｏｄｅ）、および携帯端末の加入国の国番号をもとに、表示すべきコンテンツのコンテンツＩＤを決定することを特徴とするプッシュ配信装置。
【０２７８】
（付記６）  ＳＭＳ送信部は、コンテンツＩＤ送信用と簡略版コンテンツ送信用の２つの電話番号を持ち、受信側の携帯端末に対して、識別子の代わりに発信者電話番号によりメッセージの種別を伝達することを特徴とする付記５記載のプッシュ配信装置。
【０２７９】
（付記７）  表示すべきコンテンツのコンテンツＩＤおよび表示タイミングを決定するコンテンツ選択部と、前記コンテンツＩＤを含むテキストメッセージを送信するＳＭＳ送信部と、コンテンツが取得されると前記コンテンツを取得した者の電話番号およびコンテンツＩＤを含むコンテンツ取得通知を発行するＷＥＢサーバと、設定された時刻にコンテンツ取得通知の到着確認手順を起動するタイマーとを含むプッシュ配信装置と、表示すべきコンテンツを示すコンテンツＩＤおよび識別子を含むテキストメッセージ、もしくは簡略版コンテンツおよび識別子を含む連結ＳＭＳを受信するＳＭＳ受信部と、無線ＬＡＮ経由でＷＥＢサーバと通信を行う無線ＬＡＮ通信部と、移動体パケット網経由でＷＥＢサーバと通信を行うパケット通信部と、テキストメッセージ内に含まれるコンテンツＩＤに対応するコンテンツを前記ＷＥＢサーバから取得して表示し、また、前記連結ＳＭＳにより送付された簡略版コンテンツを表示する表示制御部とを含む携帯端末とを含んで構成され、前記コンテンツ選択部は、前記テキストメッセージの送信から一定時間以上経過してもＷＥＢサーバよりコンテンツ取得通知が到着しない場合は、簡略版コンテンツを連結ＳＭＳにより前記携帯端末に送信するプッシュ配信システムであって、
ＳＭＳ送信部は、コンテンツＩＤ送信用と簡略版コンテンツ送信用の２つの電話番号を持ち、受信側の携帯端末に対して、識別子の代わりに発信者電話番号によりメッセージの種別を伝達することを特徴とするプッシュ配信システム。
【０２８０】
（付記８）  携帯端末がローミングアウトしたとの情報をサーバを介して受信した場合に、現在の年月日、現在の曜日、現在の時刻、携帯端末が在圏する国のＭＣＣ（Ｍｏｂｉｌｅ  Ｃｏｕｎｔｒｙ  Ｃｏｄｅ）、携帯端末の加入国国番号をもとに、表示すべきコンテンツのコンテンツＩＤを決定し、前記コンテンツＩＤおよびコンテンツＩＤを含むメッセージであることを示す識別子を本文に含むテキストメッセージを前記携帯端末に送信し、前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信するプッシュ配信方法であって、
ＳＭＳ送信部は、コンテンツＩＤ送信用と簡略版コンテンツ送信用の２つの電話番号を持ち、受信側の携帯端末に対して、識別子の代わりに発信者電話番号によりメッセージの種別を伝達することを特徴とするプッシュ配信方法。
【０２８１】
（付記９）  プッシュ配信装置のコンピュータに、現在の年月日、現在の曜日、現在の時刻、携帯端末が在圏する国のＭＣＣ（Ｍｏｂｉｌｅ  Ｃｏｕｎｔｒｙ  Ｃｏｄｅ）、携帯端末の加入国国番号をもとに、表示すべきコンテンツのコンテンツＩＤを決定し、前記コンテンツＩＤおよびコンテンツＩＤを含むメッセージであることを示す識別子を含むテキストメッセージを前記携帯端末に送信し、前記テキストメッセージの送信から一定時間以上経過してもＷＥＢサーバよりコンテンツ取得通知が到着しない場合は、簡略版コンテンツおよび簡略版コンテンツを含むメッセージであることを示す識別子を連結ＳＭＳにより前記携帯端末に送信する処理を実行させるプログラムであって、
ＳＭＳ送信部は、コンテンツＩＤ送信用と簡略版コンテンツ送信用の２つの電話番号を持ち、受信側の携帯端末に対して、識別子の代わりに発信者電話番号によりメッセージの種別を伝達することを特徴とするプッシュ配信プログラム。
【産業上の利用可能性】
【０２８２】
上記各実施形態は、携帯端末１がパケット網を利用できない地域に居る場合やデータローミングの利用を設定により拒否している場合に、携帯端末１の加入元（契約元）の携帯電話事業者もしくはその提携するサービス事業者が、渡航先ネットワークのエリア内に居る携帯端末（すなわちローミングアウト中の携帯端末）に、情報をプッシュ配信する場合に適用できる。
【０２８３】
また、携帯端末１がパケット網を利用できない地域に居る場合やデータローミングの利用を設定により拒否している場合に、携帯端末１の渡航先（滞在エリア）の携帯電話事業者もしくはその提携するサービス事業者が、自社ネットワークのエリア内に居る他社契約の携帯端末（すなわちローミングイン中の携帯端末）に、情報をプッシュ配信する場合にも適用できる。
【０２８４】
以上、実施形態を参照して本発明を説明したが、本発明は上記実施形態に限定されるものではない。本発明の構成や詳細には、本発明のスコープ内で当業者が理解し得る様々な変更をすることができる。上記実施形態を相互に組み合わせることも可能である。
【符号の説明】
【０２８５】
１  携帯端末
２  配信装置
３  無線ＬＡＮアクセスポイント
４  パケット対応移動体基地局
５  パケット非対応移動体基地局
６  インターネット
７  電話回線
８、８Ａ  渡航先位置登録サーバ
９、９Ａ  加入元位置登録サーバ
１１  表示部
１２，１２Ａ、１２Ｂ  表示制御部
１３  無線ＬＡＮ通信部
１４  パケット通信部
１５  ＳＭＳ受信部
１６  コンテンツ蓄積部
１７  タイマー
２１，２１Ａ  ＷＥＢサーバ
２２  ＳＭＳ送信部
２３．２３Ｂ  コンテンツサーバ
２４，２４Ａ、２４Ｂ  コンテンツ選択部
２５  時計
２６  タイマー
１６１  蓄積コンテンツ管理テーブル
１６２  標準版コンテンツ
２３１．２３１Ｂ  コンテンツ管理テーブル
２３２  標準版コンテンツ
２３３  簡略版コンテンツ
２４１，２４１Ｂ  コンテンツ通知履歴テーブル
１６１１  コンテンツＩＤ
１６１２  標準版ファイル
２３１１  コンテンツＩＤ
２３１２  提供期間
２３１３  提供曜日
２３１４  提供時間帯
２３１５  渡航先ＭＣＣ
２３１６  加入国国番号
２３１７  標準版ファイル
２３１８  簡略版ファイル
２４１１  通知先電話番号
２４１１Ｂ  コンテンツ保有者
２４１２  コンテンツＩＤ
２４１２Ｂ  最終ダウンロード日時
２４１３  通知日時
【図１】
0005612002.tif 000002
【図２】
0005612002.tif 000003
【図３】
0005612002.tif 000004
【図４】
0005612002.tif 000005
【図５】
0005612002.tif 000006
【図６】
0005612002.tif 000007
【図７】
0005612002.tif 000008
【図８】
0005612002.tif 000009
【図９】
0005612002.tif 000010
【図１０】
0005612002.tif 000011
【図１１】
0005612002.tif 000012
【図１２】
0005612002.tif 000013
【図１３】
0005612002.tif 000014
【図１４】
0005612002.tif 000015
【図１５】
0005612002.tif 000016
【図１６】
0005612002.tif 000017
【図１７】
0005612002.tif 000018
【図１８】
0005612002.tif 000019
【図１９】
0005612002.tif 000020
【図２０】
0005612002.tif 000021
【図２１】
0005612002.tif 000022
【図２２】
0005612002.tif 000023